(57)【要約】【課題】本発明は、レセプト、診療記録および介護記録のうちの少なくとも１つの作成を支援できる医療介護関連情報作成支援装置、該方法および該システムを提供する。【解決手段】本発明にかかる医療介護関連情報作成支援装置の一例としてのレセプト作成支援装置ＲＳは、処理の対象である音声付きの対象動画を取得する動画取得部３１と、動画取得部３１で取得された対象動画を再生して表示するＲＳ表示部３４と、前記対象動画の再生中に、レセプトに記入すべき事象が含まれている前記対象動画中の位置を示すタグを付けるタグ付け指示を受け付けるＲＳ入力部３３と、タグを表すタグ情報を記憶するＲＳタグ情報記憶部３６２と、前記タグ付け指示を受け付けた場合に、前記タグ情報を前記対象動画に対応付けてタグ情報記憶部３６２に記憶するタグ付け処理部３２３とを備える。【選択図】図４
2018147105.tif 000002
【特許請求の範囲】
【請求項１】
処理の対象である音声付きの対象動画を取得する動画取得部と、
前記動画取得部で取得された対象動画を再生する再生部と、
前記再生部で前記対象動画の再生中に、レセプト、診療記録および介護記録のうちの少なくとも１つに記入すべき事象が含まれている前記対象動画中の位置を示すタグを付けるタグ付け指示を受け付けるタグ付け入力部と、
タグを表すタグ情報を記憶するタグ情報記憶部と、
前記タグ付け入力部でタグ付け指示を受け付けた場合に、前記タグ情報を前記対象動画に対応付けて前記タグ情報記憶部に記憶するタグ付け処理部とを備える、
医療介護関連情報作成支援装置。
【請求項２】
前記対象動画の先頭からの経過時間を計時する計時部をさらに備え、
前記タグ付け処理部は、前記タグ付け入力部でタグ付け指示を受け付けた場合に、前記計時部から経過時間を前記タグとして求め、前記求めた経過時間を格納したタグファイルを前記タグ情報として生成し、前記生成したタグファイルを前記対象動画に対応付けて前記タグ情報記憶部に記憶する、
請求項１に記載の医療介護関連情報作成支援装置。
【請求項３】
レセプト、診療記録および介護記録のうちの少なくとも１つに記入すべき１または複数の事項を受け付ける記入事項入力部をさらに備え、
前記タグ付け処理部は、前記タグ付け入力部でタグ付け指示を受け付けた場合に、前記記入事項入力部で受け付けた１または複数の事項を、前記求めた経過時間に対応付けて前記タグファイルにさらに格納する、
請求項２に記載の医療介護関連情報作成支援装置。
【請求項４】
前記対象動画を再生する場合に、前記タグ情報記憶部に記憶され、前記再生する対象動画に対応付けられたタグ情報に基づいて前記再生部で前記対象動画を再生する再生制御部をさらに備える、
請求項１ないし請求項３のいずれか１項に記載の医療介護関連情報作成支援装置。
【請求項５】
前記再生制御部は、前記対象動画を再生する場合に、前記タグ情報記憶部に記憶され、前記再生する対象動画に対応付けられたタグファイルに格納された経過時間から所定時間だけ前記再生部で前記対象動画を再生するとともに、前記タグファイルに格納され前記経過時間に対応付けられた１または複数の事項を前記再生部に表示し、前記タグファイルが複数の経過時間を格納する場合には、前記複数の経過時間それぞれについて、順次に、当該経過時間から所定時間だけ前記再生部で前記対象動画を再生するとともに、当該経過時間に対応付けられた１または複数の事項を前記再生部に表示する、
請求項３を引用する請求項４に記載の医療介護関連情報作成支援装置。
【請求項６】
処理の対象である音声付きの対象動画を取得する動画取得工程と、
前記動画取得工程で取得された対象動画を再生する再生工程と、
前記再生工程で前記対象動画の再生中に、レセプト、診療記録および介護記録のうちの少なくとも１つに記入すべき事象が含まれている前記対象動画中の位置を示すタグを付けるタグ付け指示を受け付けるタグ付け工程と、
前記タグ付け工程でタグ付け指示を受け付けた場合に、前記タグを表すタグ情報を前記対象動画に対応付けてタグ情報記憶部に記憶するタグ付け処理工程とを備える、
医療介護関連情報作成支援方法。
【請求項７】
音声付きの動画を生成するセンサ装置と、前記センサ装置とネットワークを介して通信可能に接続され、レセプト、診療記録および介護記録のうちの少なくとも１つの作成を支援する医療介護関連情報作成支援装置とを備える医療介護関連情報作成支援システムであって、
前記医療介護関連情報作成支援装置は、請求項１ないし請求項５のいずれか１項に記載の医療介護関連情報作成支援装置であり、
前記動画取得部は、センサ装置と対応付けられ、前記センサ装置で生成された動画を前記対象動画として取得する、
医療介護関連情報作成支援システム。
【請求項８】
前記センサ装置および前記医療介護関連情報作成支援装置それぞれと前記ネットワークを介して通信可能に接続されるサーバ装置をさらに備え、
前記サーバ装置は、
センサ装置から動画を受信した場合に前記受信した動画を前記センサ装置に対応付けて記憶し、
前記医療介護関連情報作成支援装置から、センサ装置を指定して動画の要求を受信した場合に、前記指定されたセンサ装置に対応する動画を前記センサ装置と対応付けて前記医療介護関連情報作成支援装置へ返信し、
前記動画取得部は、前記サーバ装置を介して、センサ装置と対応付けられ、前記センサ装置で生成された動画を前記対象動画として取得する、
請求項７に記載の医療介護関連情報作成支援システム。
【請求項９】
近距離無線通信規格で前記センサ装置と近距離無線通信する携帯端末装置をさらに備え、
前記センサ装置は、前記近距離無線通信規格で近距離無線通信し、前記携帯端末装置と近距離無線通信が可能になると前記動画の生成を開始し、前記近距離無線通信可能であった携帯端末装置との近距離無線通信が不可能になると前記動画の生成を終了し、前記生成した動画を記憶する、
請求項７または請求項８に記載の医療介護関連情報作成支援システム。
【請求項１０】
近距離無線通信規格で前記センサ装置と近距離無線通信する携帯端末装置をさらに備え、
前記センサ装置は、
所定のタイミングで動画の生成を開始して記憶し、前記記憶した動画を所定の時刻でまたは所定の時間間隔で前記サーバ装置へ送信し、
前記近距離無線通信規格で近距離無線通信し、前記携帯端末装置と近距離無線通信が可能になると前記生成している動画中の位置を示す第２タグを表す第２タグ情報を生成して記憶し、前記近距離無線通信可能であった携帯端末装置との近距離無線通信が不可能になると前記生成している動画中の位置を示す第３タグを表す第３タグ情報を生成して記憶し、前記記憶した動画を前記サーバ装置へ送信する際に、前記第２および第３タグ情報の少なくともいずれかが記憶されている場合、前記記憶されている前記第２および第３タグ情報の少なくともいずれかも前記記憶した動画と合わせて前記サーバ装置へ送信する、
請求項８に記載の医療介護関連情報作成支援システム。
【発明の詳細な説明】
【技術分野】
【０００１】
本発明は、レセプト、診療記録および介護記録のうちの少なくとも１つの作成を支援する医療介護関連情報作成支援装置、医療介護関連情報作成支援方法および医療介護関連情報作成支援システムに関する。
【背景技術】
【０００２】
我が国（日本）のような高齢化社会では、病気や怪我や高齢等による看護や介護を必要とする要看護者や要介護者等の増加が今後さらに見込まれる。これら要看護者や要介護者等は、病院や、老人福祉施設等の施設に入所し、その看護や介護を受ける。このような施設では、看護師や介護士等が、定期的に巡視することによってその安否や様子を確認している。この安否確認の点では、一人暮らしの独居者も前記要看護者や要介護者等と同様である。一方、近年では、独りで移動の困難な者や在宅の療養を希望する者等のために、訪問診療や往診等の在宅医療も要請されている。
【０００３】
このような業界では、医療や看護や介護等のサービスを要請する者の増加に較べて、前記サービスを提供する者の増加が追いつかず、慢性的に人手不足になっている。このため、前記サービスや前記サービスに関連して生じる業務の負担を軽減するため、前記サービスや前記業務を補完する技術が求められている。その１つに、特許文献１には、レセプト電算データチェックシステムが提案されている。レセプトとは、病院等の医療機関で医療報酬を請求（保険請求）するために毎月作成される医療報酬の明細書をいい、医療機関は、レセプトを審査機関に提出し、審査機関の審査を通過すると、医療報酬が医療機関に支払われる。レセプトには、医科、歯科の場合に作成される診療報酬明細書、調剤の場合に作成される薬剤報酬明細書、および、訪問看護の場合に作成される訪問看護療養費明細書等の複数種類の明細書がある。
【０００４】
前記特許文献１に開示されたレセプト電算データチェックシステムは、各種診療行為または医薬品がそれぞれ適用される病名に対応付けられてデータベース（１４）として蓄積された記憶部（２）と、レセプトデータ（３）に記憶された診療行為または医薬品が適用される病名を適応病名として記憶部（２）の前記データベース（１４）から取得する取得手段と、該取得手段により取得した適応病名が前記レセプトデータ（３）に含まれているか否かを識別することにより、前記診療行為または医薬品が適切であったか否かを点検する点検手段とを備える。このレセプト電算データチェックシステムでは、適応病名として診療行為または医薬品が標準的に適用される標準病名と、標準病名に近い症状の病名である関連病名とが設けられ、取得手段は、レセプトデータ（３）に記憶された診療行為または医薬品の標準病名および関連病名の全てを適応病名として取得し、点検手段は、取得手段により取得した適応病名の内の何れかが前記レセプトデータ（３）に含まれているか否かを識別し、これによって点検が実施される。
【先行技術文献】
【特許文献】
【０００５】
【特許文献１】特開２００９−８７１０５号公報
【発明の概要】
【発明が解決しようとする課題】
【０００６】
ところで、前記特許文献１に開示されたレセプト電算データチェックシステムでは、実際に実施された診療行為や実際に処方された医薬品は、既に、レセプトデータに記憶されたデータであり、前記特許文献１に開示されたレセプト電算データチェックシステムは、レセプトデータに記憶された診療行為や医薬品が適切であったか否かを点検している。したがって、前記特許文献１に開示されたレセプト電算データチェックシステムは、レセプト作成後の業務を軽減でき、この点、便利である。しかしながら、このレセプト自体を作成するレセプト作成業務、さらに、レセプトを作成するために用いられる記録（データ）を作成する記録作成業務の軽減も要請されている。特に在宅医療では、レセプト作成業務の担当者が現場に同行することはなく、また、記録が必ずしも現場で確実に実施されるとも限らない。このため、誤記入や記入漏れの虞があった。また、診療記録や介護記録も同様の事情にある。
【０００７】
本発明は、上述の事情に鑑みて為された発明であり、その目的は、レセプトの、診療記録および介護記録のうちの少なくとも１つ作成を支援できる医療介護関連情報作成支援装置、医療介護関連情報作成支援方法および医療介護関連情報作成支援システムを提供することである。
【課題を解決するための手段】
【０００８】
本発明者は、種々検討した結果、上記目的は、以下の本発明により達成されることを見出した。すなわち、本発明の一態様にかかる医療介護関連情報作成支援装置は、処理の対象である音声付きの対象動画を取得する動画取得部と、前記動画取得部で取得された対象動画を再生する再生部と、前記再生部で前記対象動画の再生中に、レセプト、診療記録および介護記録のうちの少なくとも１つに記入すべき事象が含まれている前記対象動画中の位置を示すタグを付けるタグ付け指示を受け付けるタグ付け入力部と、タグを表すタグ情報を記憶するタグ情報記憶部と、前記タグ付け入力部でタグ付け指示を受け付けた場合に、前記タグ情報を前記対象動画に対応付けて前記タグ情報記憶部に記憶するタグ付け処理部とを備える。好ましくは、上述の医療介護関連情報作成支援装置において、前記動画取得部は、ネットワークを介して通信する通信インターフェース回路（通信カード）である。好ましくは、上述の医療介護関連情報作成支援装置において、前記動画取得部は、例えばＵＳＢ（Ｕｎｉｖｅｒｓａｌ  Ｓｅｒｉａｌ  Ｂｕｓ）インターフェース回路等の、外部の機器とデータを入出力するＩ／Ｏインターフェース回路である。好ましくは、上述の医療介護関連情報作成支援装置において、前記動画取得部は、例えばＣＤ−Ｒ（Ｃｏｍｐａｃｔ  Ｄｉｓｃ  Ｒｅｃｏｒｄａｂｌｅ）やＤＶＤ−Ｒ（Ｄｉｇｉｔａｌ  Ｖｅｒｓａｔｉｌｅ  Ｄｉｓｃ  Ｒｅｃｏｒｄａｂｌｅ）等の記録媒体からデータを読み込むドライブ装置である。
【０００９】
このような医療介護関連情報作成支援装置は、動画取得部および再生部を備え、前記動画取得部で取得した対象動画を前記再生部によって再生するので、医療や看護や介護等のサービスの実施中あるいは前記サービスの終了後に、例えば知識を有する担当者等のユーザが再生中の対象動画を参照することで、再生中の対象動画に、レセプト、診療記録および介護記録のうちの少なくとも１つ（以下、「レセプト等」と適宜略記する。）に記入すべき事象が含まれているか否かを適切に判定できる。レセプト等に記入すべき事象が含まれていると判定すると、上記医療介護関連情報作成支援装置は、タグ付け入力部、タグ情報記憶部およびタグ付け処理部を備えるので、ユーザがタグ付け入力部を入力操作することで、上記医療介護関連情報作成支援装置は、前記タグ付け処理部によって、レセプト等に記入すべき事象が含まれている前記対象動画中の位置（タイミング（時点））を示すタグ（ラベル、目印）を表すタグ情報を前記再生中の対象動画に対応付けてタグ情報記憶部に記憶できる。これによって、前記再生中の対象動画に、タグを付けることができる。したがって、レセプト等をチェックする際に、タグ情報に基づいて対象動画を部分的に再生することができ、短時間で適切にチェックできる。よって、上記医療介護関連情報作成支援装置は、レセプト等の作成を支援できる。なお、診療記録には、診療録（カルテ）、手術記録、看護記録等が含まれる。
【００１０】
他の一態様では、上述の医療介護関連情報作成支援装置において、前記対象動画の先頭からの経過時間を計時する計時部をさらに備え、前記タグ付け処理部は、前記タグ付け入力部でタグ付け指示を受け付けた場合に、前記計時部から経過時間を前記タグとして求め、前記求めた経過時間を格納したタグファイルを前記タグ情報として生成し、前記生成したタグファイルを前記対象動画に対応付けて前記タグ情報記憶部に記憶する。
【００１１】
このような医療介護関連情報作成支援装置は、対象動画の先頭からの経過時間でタグを前記対象動画に付与することができ、タグ情報をタグファイルで対象動画と別々に管理できる。
【００１２】
他の一態様では、上述の医療介護関連情報作成支援装置において、レセプト、診療記録および介護記録のうちの少なくとも１つに記入すべき１または複数の事項を受け付ける記入事項入力部をさらに備え、前記タグ付け処理部は、前記タグ付け入力部でタグ付け指示を受け付けた場合に、前記記入事項入力部で受け付けた１または複数の事項を、前記求めた経過時間に対応付けて前記タグファイルにさらに格納する。好ましくは、上述の医療介護関連情報作成支援装置において、前記タグ付け処理部は、前記タグ付け入力部でタグ付け指示を受け付けた場合に、前記計時部から経過時間を前記タグとして求め、前記求めた経過時間および前記記入事項入力部で受け付けた１または複数の事項を互いに対応付けて格納したタグファイルを前記タグ情報として生成し、前記生成したタグファイルを前記対象動画に対応付けて前記タグ情報記憶部に記憶する。
【００１３】
このような医療介護関連情報作成支援装置は、記入事項入力部をさらに備えるので、レセプト等に記入すべき事象が含まれているか否かを判定する際に、記入事項入力部からレセプト等に記入すべき１または複数の事項も入力できる。そして、上記医療介護関連情報作成支援装置は、前記事項を前記タグファイルにさらに格納するので、前記タグファイルをレセプト等の作成に用いるデータとして利用できる。よって、上記医療介護関連情報作成支援装置は、レセプト等の作成をより支援できる。
【００１４】
他の一態様では、これら上述の医療介護関連情報作成支援装置において、前記対象動画を再生する場合に、前記タグ情報記憶部に記憶され、前記再生する対象動画に対応付けられたタグ情報に基づいて前記再生部で前記対象動画を再生する再生制御部をさらに備える。好ましくは、上述の医療介護関連情報作成支援装置において、前記再生制御部は、前記対象動画を再生する場合に、前記タグ情報記憶部に記憶され、前記再生する対象動画に対応付けられたタグファイルに格納された経過時間から所定時間だけ前記再生部で前記対象動画を再生し、前記タグファイルが複数の経過時間を格納する場合には、前記複数の経過時間それぞれについて、順次に、当該経過時間から所定時間だけ前記再生部で前記対象動画を再生する。
【００１５】
このような医療介護関連情報作成支援装置は、再生制御部をさらに備えるので、再生制御部によって、対象動画をタグ情報に基づいて再生部で再生することで、例えば、前記タグを付したユーザ、あるいは、チェックを担当する別のユーザ等は、タグが付された箇所の動画に、レセプト等に記入すべき事象を含むか否かをチェック（確認）できる。
【００１６】
他の一態様では、上述の医療介護関連情報作成支援装置において、前記再生制御部は、前記対象動画を再生する場合に、前記タグ情報記憶部に記憶され、前記再生する対象動画に対応付けられたタグファイルに格納された経過時間から所定時間だけ前記再生部で前記対象動画を再生するとともに、前記タグファイルに格納され前記経過時間に対応付けられた１または複数の事項を前記再生部に表示し、前記タグファイルが複数の経過時間を格納する場合には、前記複数の経過時間それぞれについて、順次に、当該経過時間から所定時間だけ前記再生部で前記対象動画を再生するとともに、当該経過時間に対応付けられた１または複数の事項を前記再生部に表示する。
【００１７】
このような医療介護関連情報作成支援装置は、タグが付された箇所の動画に、レセプト等に記入すべき事象を含むか否かをチェックする際に、レセプト等に記入すべき１または複数の事項の適否もチェックできる。
【００１８】
本発明の他の一態様にかかる医療介護関連情報作成支援方法は、処理の対象である音声付きの対象動画を取得する動画取得工程と、前記動画取得工程で取得された対象動画を再生する再生工程と、前記再生工程で前記対象動画の再生中に、レセプト、診療記録および介護記録のうちの少なくとも１つに記入すべき事象が含まれている前記対象動画中の位置を示すタグを付けるタグ付け指示を受け付けるタグ付け工程と、前記タグ付け工程でタグ付け指示を受け付けた場合に、前記タグを表すタグ情報を前記対象動画に対応付けてタグ情報記憶部に記憶するタグ付け処理工程とを備える。
【００１９】
このような医療介護関連情報作成支援方法は、動画取得工程および再生工程を備え、前記動画取得工程で取得した対象動画を前記再生工程によって再生するので、医療や看護や介護等のサービスの実施中あるいは前記サービスの終了後に、例えば知識を有する担当者等のユーザが再生中の対象動画を参照することで、再生中の対象動画に、レセプト等に記入すべき事象が含まれているか否かを適切に判定できる。レセプト等に記入すべき事象が含まれていると判定すると、上記医療介護関連情報作成支援方法は、タグ付け入力工程およびタグ付け処理工程を備えるので、ユーザがタグ付け入力工程で入力操作することで、上記医療介護関連情報作成支援方法は、前記タグ付け処理工程によって、レセプト等に記入すべき事象が含まれている前記対象動画中の位置（タイミング（時点））を示すタグ（ラベル、目印）を表すタグ情報を前記再生中の対象動画に対応付けてタグ情報記憶部に記憶できる。これによって、前記再生中の対象動画に、タグを付けることができる。したがって、レセプト等をチェックする際に、タグ情報に基づいて対象動画を部分的に再生することができ、短時間で適切にチェックできる。よって、上記医療介護関連情報作成支援方法は、レセプト等の作成を支援できる。
【００２０】
本発明の他の一態様にかかる医療介護関連情報作成支援システムは、音声付きの動画を生成するセンサ装置と、前記センサ装置とネットワークを介して通信可能に接続され、レセプト、診療記録および介護記録のうちの少なくとも１つの作成を支援する医療介護関連情報作成支援装置とを備えるシステムであって、前記医療介護関連情報作成支援装置は、これら上述のいずれかの医療介護関連情報作成支援装置であり、前記動画取得部は、センサ装置と対応付けられ、前記センサ装置で生成された動画を前記対象動画として取得する。
【００２１】
このような医療介護関連情報作成支援システムは、これら上述のいずれかの医療介護関連情報作成支援装置を備えるので、レセプト等の作成を支援できる。
【００２２】
他の一態様では、上述の医療介護関連情報作成支援システムにおいて、前記センサ装置および前記医療介護関連情報作成支援装置それぞれと前記ネットワークを介して通信可能に接続されるサーバ装置をさらに備え、前記サーバ装置は、センサ装置から動画を受信した場合に前記受信した動画を前記センサ装置に対応付けて記憶し、前記医療介護関連情報作成支援装置から、センサ装置を指定して動画の要求を受信した場合に、前記指定されたセンサ装置に対応する動画を前記センサ装置と対応付けて前記医療介護関連情報作成支援装置へ返信し、前記動画取得部は、前記サーバ装置を介して、センサ装置と対応付けられ、前記センサ装置で生成された動画を前記対象動画として取得する。
【００２３】
このような医療介護関連情報作成支援システムは、サーバ装置をさらに備えるので、センサ装置で生成した画像をサーバ装置で一括に管理でき、センサ装置に搭載される記憶装置の記憶容量を低減でき、医療介護関連情報作成支援装置は、必要なときに、センサ装置で生成した画像をサーバ装置から取得できる。
【００２４】
他の一態様では、これら上述の医療介護関連情報作成支援システムにおいて、近距離無線通信規格で前記センサ装置と近距離無線通信する携帯端末装置をさらに備え、前記センサ装置は、前記近距離無線通信規格で近距離無線通信し、前記携帯端末装置と近距離無線通信が可能になると前記動画の生成を開始し、前記近距離無線通信可能であった携帯端末装置との近距離無線通信が不可能になると前記動画の生成を終了し、前記生成した動画を記憶する。好ましくは、上述の医療介護関連情報作成支援システムにおいて、前記センサ装置は、前記記憶した動画を所定のタイミングで前記サーバ装置へ送信する。好ましくは、上述の医療介護関連情報作成支援システムにおいて、前記近距離無線通信規格は、ブルートゥース（Ｂｌｕｅｔｏｏｔｈ、登録商標）であり、前記センサ装置は、Ｐｒｏｘｉｍｉｔｙ  Ｐｒｏｆｉｌｅで前記携帯端末装置と近距離無線通信が可能か否かを判定する。
【００２５】
このような医療介護関連情報作成支援システムは、医療や看護や介護等のサービスを提供する者（サービス提供者（医師、看護師、介護士等））が前記携帯端末装置を持つことによって、サービス提供者が前記センサ装置の近距離無線通信可能な範囲内に居る間だけ、自動的に動画を生成できる。したがって、上記医療介護関連情報作成支援システムは、対象画動画として不必要な動画部分を低減でき、センサ装置に搭載される記憶装置の記憶容量を低減でき、医療介護関連情報作成支援装置で対象動画を再生する再生時間を短縮化できる。
【００２６】
他の一態様では、上述の医療介護関連情報作成支援システムにおいて、近距離無線通信規格で前記センサ装置と近距離無線通信する携帯端末装置をさらに備え、前記センサ装置は、所定のタイミングで動画の生成を開始して記憶し、前記記憶した動画を所定の時刻でまたは所定の時間間隔で前記サーバ装置へ送信し、前記近距離無線通信規格で近距離無線通信し、前記携帯端末装置と近距離無線通信が可能になると前記生成している動画中の位置（タイミング（時点））を示す第２タグ（入室タグ）を表す第２タグ情報（入室タグ情報）を生成して記憶し、前記近距離無線通信可能であった携帯端末装置との近距離無線通信が不可能になると前記生成している動画中の位置（タイミング（時点））を示す第３タグ（退室タグ）を表す第３タグ情報（退室タグ情報）を生成して記憶し、前記記憶した動画を前記サーバ装置へ送信する際に、前記第２および第３タグ情報の少なくともいずれかが記憶されている場合、前記記憶されている前記第２および第３タグ情報の少なくともいずれかも前記記憶した動画と合わせて前記サーバ装置へ送信する。
【００２７】
このような医療介護関連情報作成支援システムは、医療や看護や介護等のサービスを提供するサービス提供者が前記携帯端末装置を持つことによって、サービス提供者が前記センサ装置の近距離無線通信可能な範囲内に居る間に対応する第２および第３タグ情報を、センサ装置で生成した動画に対応付けて記憶できる。したがって、上記医療介護関連情報作成支援システムは、医療介護関連情報作成支援装置が、前記第２および第３タグ情報に基づいて対象動画を再生することによって、医療介護関連情報作成支援装置で対象動画を再生する再生時間を短縮化できる。
【発明の効果】
【００２８】
本発明にかかる医療介護関連情報作成支援装置、医療介護関連情報作成支援方法および医療介護関連情報作成支援システムは、レセプト等の作成を支援できる。
【図面の簡単な説明】
【００２９】
【図１】実施形態における医療介護関連情報作成支援システムの一例としてのレセプト作成支援システムの構成を示す図である。
【図２】前記レセプト作成支援システムにおけるセンサ装置の構成を示す図である。
【図３】前記レセプト作成支援システムにおけるサーバ装置の構成を示す図である。
【図４】前記レセプト作成支援システムにおける医療介護関連情報作成装置の一例としてのレセプト作成支援装置の構成を示す図である。
【図５】前記レセプト作成支援システムにおけるタグファイルの構成を示す図である。
【図６】前記センサ装置における動画生成に関する動作を示すフローチャートである。
【図７】前記サーバ装置における動画の送受信に関する動作を示すフローチャートである。
【図８】前記レセプト作成支援装置におけるタグ付けに関する動作を示すフローチャートである。
【図９】前記サーバ装置および前記レセプト作成支援装置におけるタグ付けに関する動作を示すシーケンス図である。
【図１０】前記レセプト作成支援装置に表示されるタグ付け画面の一例を示す図である。
【図１１】前記レセプト作成支援装置におけるタグチェックに関する動作を示すフローチャートである。
【図１２】前記レセプト作成支援装置に表示されるタグチェック画面の一例を示す図である。
【発明を実施するための形態】
【００３０】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００３１】
本実施形態における医療介護関連情報作成支援システムは、音声付きの動画を生成するセンサ装置と、前記センサ装置とネットワークを介して通信可能に接続され、レセプト、診療記録および介護記録のうちの少なくとも１つの作成を支援する医療介護関連情報作成支援装置とを備える。この医療介護関連情報作成支援装置は、処理の対象である音声付きの対象動画を取得する動画取得部と、前記動画取得部で取得された対象動画を再生する再生部と、前記再生部で前記対象動画の再生中に、レセプト、診療記録および介護記録のうちの少なくとも１つに記入すべき事象が含まれている前記対象動画中の位置を示すタグを付けるタグ付け指示を受け付けるタグ付け入力部と、タグを表すタグ情報を記憶するタグ情報記憶部と、前記タグ付け入力部でタグ付け指示を受け付けた場合に、前記タグ情報を前記対象動画に対応付けて前記タグ情報記憶部に記憶するタグ付け処理部とを備える。
【００３２】
このような医療介護関連情報作成支援システム、医療介護関連情報作成支援装置およびこれに実装された医療介護関連情報作成支援方法は、動画取得部および再生部を備え、前記動画取得部で取得した対象動画を前記再生部によって再生するので、医療や看護や介護等のサービスの実施中あるいは前記サービスの終了後に、ユーザが再生中の対象動画を参照することで、再生中の対象動画に、レセプト、診療記録および介護記録のうちの少なくとも１つ（以下、「レセプト等」と適宜略記する。）に記入すべき事象が含まれているか否かを適切に判定できる。レセプト等に記入すべき事象が含まれていると判定すると、上記医療介護関連情報作成支援システム、医療介護関連情報作成支援装置および医療介護関連情報作成支援方法は、タグ付け入力部、タグ情報記憶部およびタグ付け処理部を備えるので、ユーザがタグ付け入力部を入力操作することで、上記医療介護関連情報作成支援システム、医療介護関連情報作成支援装置および医療介護関連情報作成支援方法は、前記タグ付け処理部によって、レセプト等に記入すべき事象が含まれている前記対象動画中の位置（タイミング（時点））を示すタグ（ラベル、目印）を表すタグ情報を前記再生中の対象動画に対応付けてタグ情報記憶部に記憶できる。これによって、前記再生中の対象動画に、タグを付けることができる。したがって、レセプト等をチェックする際に、タグ情報に基づいて対象動画を部分的に再生することができ、短時間で適切にチェックできる。よって、上記医療介護関連情報作成支援システム、医療介護関連情報作成支援装置および医療介護関連情報作成支援方法は、レセプト等の作成を支援できる。なお、診療記録には、診療録（カルテ）、手術記録、看護記録等が含まれる。
【００３３】
以下、上記医療介護関連情報作成支援システム、医療介護関連情報作成支援装置および医療介護関連情報作成支援方法それぞれの一例として、レセプトの作成を支援するレセプト作成支援システム、レセプト作成支援装置およびこれに実装されたレセプト作成支援方法について、より具体的に説明するが、診療記録の作成を支援する診療記録作成支援システム、診療記録作成支援装置およびこれに実装された診療記録作成支援方法、ならびに、介護記録の作成を支援する介護記録作成支援システム、介護記録作成支援装置およびこれに実装された介護記録作成支援方法も同様に説明でき、構成できる。
【００３４】
図１は、実施形態における医療介護関連情報作成支援システムの一例としてのレセプト作成支援システムの構成を示す図である。実施形態におけるレセプト作成支援システムＭＳは、レセプトの作成を支援するシステムであり、例えば、図１に示すように、音声付きの動画を生成する、１または複数のセンサ装置ＳＵ（図１に示す例ではｋ個のセンサ装置ＳＵ−１、ＳＵ−２、ＳＵ−３、・・・、ＳＵ−ｋ）と、センサ装置ＳＵとネットワークＮＷを介して通信可能に接続され、レセプトの作成を支援するレセプト作成支援装置ＲＳとを備える。本実施形態では、レセプト作成支援システムＭＳは、図１に示すように、さらに、他の装置とネットワークＮＷを介して通信可能に接続されるサーバ装置ＳＶと、所定の近距離無線通信規格でセンサ装置ＳＵと近距離無線通信可能に接続され、他の装置とネットワークＮＷを介して通信可能に接続される、１または複数の携帯端末装置ＴＡ（図１に示す例では２個の携帯端末装置ＴＡ−１、ＴＡ−２）とを備える。
【００３５】
ネットワーク（通信回線）ＮＷは、例えば、電話網、データ通信網および移動通信網等を備えて構成され、例えば、ＦＴＰ（Ｆｉｌｅ  Ｔｒａｎｓｆｅｒ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）、ＴＣＰ（Ｔｒａｎｓｍｉｓｓｉｏｎ  Ｃｏｎｔｒｏｌ  Ｐｒｏｔｏｃｏｌ）およびＩＰ（Ｉｎｔｅｒｎｅｔ  Ｐｒｏｔｏｃｏｌ）等のいわゆるインターネットプロトコル郡を用いることによってインターネットを構成する。あるいは、ネットワークＮＷは、例えば無線や有線を用いたイーサネット環境のＬＡＮ（Ｌｏｃａｌ  Ａｒｅａ  Ｎｅｔｗｏｒｋ）であっても良い。なお、イーサネットは、登録商標である。
【００３６】
センサ装置ＳＵは、音声付きの動画を生成する装置である。センサ装置は、近距離無線通信規格で近距離無線通信し、携帯端末装置ＴＡと近距離無線通信が可能になると前記動画の生成を開始し、前記近距離無線通信可能であった携帯端末装置ＴＡとの近距離無線通信が不可能になると前記動画の生成を終了し、前記生成した動画を記憶する。センサ装置ＳＵは、前記記憶した動画を所定のタイミングでサーバ装置ＳＶへ送信する。
【００３７】
サーバ装置ＳＶは、センサ装置ＳＵから動画を受信した場合に前記受信した動画を前記センサ装置ＳＵに対応付けて記憶する。サーバ装置ＳＶは、レセプト作成支援装置ＲＳから、センサ装置ＳＵを指定して動画の要求を受信した場合に、前記指定されたセンサ装置ＳＵに対応する動画を前記センサ装置ＳＵと対応付けて前記レセプト作成支援装置ＲＳへ返信する。したがって、本実施形態では、レセプト作成支援装置ＲＳは、サーバ装置ＳＶを介して、センサ装置ＳＵと対応付けられ、前記センサ装置ＳＵで生成された動画を対象動画として取得する。なお、レセプト作成支援装置ＲＳは、サーバ装置ＳＶを介さずに、センサ装置ＳＵから、前記センサ装置ＳＵと対応付けられ、前記センサ装置ＳＵで生成された動画を前記対象動画として取得しても良い。
【００３８】
レセプト作成支援装置ＲＳは、上述のようにサーバ装置ＳＶを介して、センサ装置ＳＵで生成された動画を、処理の対象である音声付きの前記対象動画として取得し、ユーザの指示を受け付けることによって、レセプトに記入すべき事象が含まれている前記対象動画中の位置を示すタグを付ける。
【００３９】
このような各装置について、以下、より具体的に説明する。
【００４０】
まず、センサ装置ＳＵについて説明する。図２は、前記レセプト作成支援システムにおけるセンサ装置の構成を示す図である。
【００４１】
センサ装置ＳＵは、ネットワークＮＷを介して他の装置ＳＶ、ＲＳ、ＴＡと通信する通信機能等を備え、音声付きの動画（動画データ）を生成し、この生成した動画を、サーバ装置ＳＶへ通知する装置である。センサ装置ＳＵは、例えば、図２に示すように、動画生成部１１と、センサ側制御処理部（ＳＵ制御処理部）１２と、センサ側通信インターフェース部（ＳＵ通信ＩＦ部）１３と、センサ側近距離無線通信インターフェース部（ＳＵ近距離無線通信ＩＦ部）１４と、センサ側記憶部（ＳＵ記憶部）１５とを備える。
【００４２】
動画生成部１１は、ＳＵ制御処理部１２と接続され、ＳＵ制御処理部１２の制御に従って音声付きの動画（動画データ）を生成する装置であり、例えばビデオカメラ等である。動画生成部１１は、例えば医療（在宅医療）や看護（訪問看護）や介護（訪問介護）等の、レセプトが作成されるサービスを受ける者（サービス受益者）Ｏｂを撮影可能な位置に配設される。本実施形態では、特に在宅医療の際のレセプト作成を好適に支援できる観点から、動画生成部１１は、サービス受益者Ｏｂが所在を予定している空間（所在空間、図１に示す例では施設や住戸ＨＳ等の居室（部屋））に配置され、前記所在空間を撮像対象としてその上方から撮像し、前記撮像対象を俯瞰した動画（動画データ）を生成し、前記撮像対象の動画をＳＵ制御処理部１２へ出力する。好ましくは、サービス受益者Ｏｂ全体を撮像できる蓋然性が高いことから、動画生成部１１は、サービス受益者Ｏｂが横臥する寝具（例えばベッド等）における、サービス受益者Ｏｂの頭部が位置すると予定されている予め設定された頭部予定位置（通常、枕の配設位置）の直上から撮像対象を撮像できるように配設される。センサ装置ＳＵは、この動画生成部１１によって、サービス受益者Ｏｂを、サービス受益者Ｏｂの上方から撮像した動画、好ましくは前記頭部予定位置の直上から撮像した動画を音声付きで取得する。このように配設されることによって、サービス受益者Ｏｂが前記サービスを受けると、前記サービスを提供する者（サービス提供者（医師、看護師、介護士等））ＮＳも、前記サービス受益者Ｏｂと共に撮像される。
【００４３】
ＳＵ通信ＩＦ部１３は、ＳＵ制御処理部１２に接続され、ＳＵ制御処理部１２の制御に従ってネットワークＮＷを介して他の装置と通信を行うための通信回路であり、例えばデータ通信カード等である。ＳＵ通信ＩＦ部１３は、ＳＵ制御処理部１２から入力された転送すべきデータを収容した通信信号を、このレセプト作成支援システムＭＳのネットワークＮＷで用いられる通信プロトコルに従って生成し、この生成した通信信号をネットワークＮＷを介して他の装置、ここではサーバ装置ＳＶへ送信する。ＳＵ通信ＩＦ部１３は、ネットワークＮＷを介して他の装置、ここではサーバ装置ＳＶから通信信号を受信し、この受信した通信信号からデータを取り出し、この取り出したデータをＳＵ制御処理部１２が処理可能な形式のデータに変換してＳＵ制御処理部１２へ出力する。
【００４４】
ＳＵ近距離無線通信ＩＦ部１４は、近距離無線通信規格で無線通信を行う通信回路である。近距離無線通信規格は、数メートル範囲以内に存在する機器と通信するための規格であり、例えば、Ｂｌｕｅｔｏｏｔｈ（登録商標）規格やＩｒＤＡ（Ｉｎｆｒａｒｅｄ  Ｄａｔａ  Ａｓｓｏｃｉａｔｉｏｎ）規格等である。ＳＵ近距離無線通信ＩＦ部１４は、ＩｒＤＡ規格等の赤外線通信を行うインターフェース回路であって良いが、本実施形態では、Ｐｒｏｘｉｍｉｔｙ  Ｐｒｏｆｉｌｅを利用するので、Ｂｌｕｅｔｏｏｔｈ（登録商標）規格を用いたインターフェース回路である。
【００４５】
ＳＵ記憶部１５は、ＳＵ制御処理部１２に接続され、ＳＵ制御処理部１２の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、動画生成部１１に音声付きの動画を生成させ、この生成させた動画をＳＵ通信ＩＦ部１３によってネットワークＮＷを介してサーバ装置ＳＶへ送信するＳＵ動画処理プログラムや、ＳＵ近距離無線通信ＩＦ部１４で近距離無線通信可能な携帯端末装置ＴＡが存在するか否かを探知するＳＵ端末探知プログラムや、年月日時分を計時する時計プログラム等の制御処理プログラムが含まれる。前記各種の所定のデータには、自機の、センサ装置ＳＵを特定し識別するための識別子であるセンサ装置識別子（センサＩＤ）、サーバ装置ＳＶの通信アドレス、動画データおよび端末情報等の、各プログラムを実行する上で必要なデータ等が含まれる。ＳＵ記憶部１５は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１５は、前記所定のプログラムの実行中に生じるデータ等を記憶するいわゆるＳＵ制御処理部１２のワーキングメモリとなるＲＡＭ（Ｒａｎｄｏｍ  Ａｃｃｅｓｓ  Ｍｅｍｏｒｙ）等を含む。そして、ＳＵ記憶部１５は、前記動画データを記憶するセンサ側動画情報記憶部（ＳＵ動画情報記憶部）１５１、および、前記端末情報を記憶するセンサ側端末情報記憶部（ＳＵ端末情報記憶部）１５２を機能的に備える。ＳＵ動画情報記憶部１５１は、前記動画を、少なくともサーバ装置ＳＶへ転送するまで、一時的に記憶する。前記端末情報は、近距離無線通信の可否が判定される所定の携帯端末装置ＴＡに関する情報、および、前記所定の携帯端末装置ＴＡとの近距離無線通信の可否に応じて実行される処理に関する情報である。本実施形態では、ＳＵ近距離無線通信ＩＦ部１４には、Ｂｌｕｅｔｏｏｔｈ（登録商標）規格のインターフェース回路が用いられ、近距離無線通信の可否の判定には、Ｐｒｏｘｉｍｉｔｙ  Ｐｒｏｆｉｌｅが用いられるので、前記端末情報は、ペアリングの情報、および、スクリプトの情報等である。前記端末情報は、例えば、レセプト作成支援装置ＲＳや携帯端末装置ＴＡ等を用いてネットワークＮＷを介してＳＵ端末情報記憶部１５２に予め記憶され、設定される。
【００４６】
ＳＵ制御処理部１２は、センサ装置ＳＵの各部を当該各部の機能に応じてそれぞれ制御し、前記所定の携帯端末装置ＴＡとの近距離無線通信の可否に応じて音声付きの動画を生成し、この生成した動画（動画データ）を、サーバ装置ＳＶへ通知するための回路である。ＳＵ制御処理部１２は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１２は、前記制御処理プログラムが実行されることによって、センサ側制御部（ＳＵ制御部）１２１、センサ側動画処理部（ＳＵ動画処理部）１２２、センサ側端末探知部（ＳＵ端末探知部）１２３およびセンサ側時計部（ＳＵ時計部）１２４を機能的に備える。
【００４７】
ＳＵ制御部１２１は、センサ装置ＳＵの各部を当該各部の機能に応じてそれぞれ制御し、センサ装置ＳＵの全体制御を司るものである。
【００４８】
ＳＵ時計部１２４は、年月日時分を計時するものである。ＳＵ時計部１２４で計時された年月日時分は、後述するように、動画のファイルネームの生成に用いられる他、例えば、通信信号の送信、その受信、および、データの記憶等のタイムスタンプに用いられる。
【００４９】
ＳＵ端末探知部１２３は、ＳＵ近距離無線通信ＩＦ部１４で、予め設定された前記所定の携帯端末装置ＴＡと近距離無線通信可能か否かを判定し、その判定結果をＳＵ動画処理部１２２へ通知するものである。
【００５０】
ＳＵ動画処理部１２２は、ＳＵ端末探知部１２３から通知された判定結果に応じて動画生成部１１に動画の生成開始およびその生成終了を指示し、動画生成部１１で生成した前記動画をＳＵ動画情報記憶部１５１に記憶する。そして、ＳＵ動画処理部１２２は、予め設定されたタイミングでＳＵ動画情報記憶部１５１に記憶した動画をＳＵ通信ＩＦ部１３でサーバ装置ＳＶへ送信する。前記動画をサーバ装置ＳＶへ送信するタイミングは、適宜に設定され、例えば、動画の生成終了後から所定時間（例えば１０分、３０分、１時間等）の経過後（第１送信タイミング）や、１日のうちの所定時刻（例えば１８時、２０時、０時等）（第２送信タイミング）や、センサ装置ＳＵの起動後から所定時間間隔（例えば８時間、１２時間、２４時間）（第３送信タイミング）等である。これら第１および第３送信タイミングでは、複数のセンサ装置ＳＵそれぞれがサーバ装置ＳＶへ動画を送信するタイミングがずれるので、通信トラフィックを緩和でき、複数のセンサ装置ＳＵそれぞれがサーバ装置ＳＶへ動画をスムーズに送信できる。
【００５１】
より具体的には、本実施形態では、前記近距離無線通信可能か否かの判定およびその判定結果に応じた動画の生成開始およびその終了には、例えば、Ｐｒｏｘｉｍｉｔｙ  Ｐｒｏｆｉｌｅが用いられる。このＰｒｏｘｉｍｉｔｙ  Ｐｒｏｆｉｌｅは、Ｂｌｕｅｔｏｏｔｈ（登録商標）で利用されるプロトコルであり、ペアリングされたデバイスとのＢｌｕｅｔｏｏｔｈ接続を監視し、その監視結果に応じてスクリプトで定義された所定の処理を実行するプロファイルである。より詳しくは、ＳＵ端末探知部１２３は、Ｐｒｏｘｉｍｉｔｙ  Ｐｒｏｆｉｌｅを用いてペアリングされた携帯端末装置ＴＡと近距離無線通信可能か否かを判定し、その判定結果をＳＵ動画処理部１２２へ通知する。ＳＵ動画処理部１２２は、スクリプトの定義に従って、前記携帯端末装置ＴＡと近距離無線通信が可能になったとの判定結果が通知された場合には、動画生成部１１に動画の生成を開始させ、一方、前記近距離無線通信可能であった携帯端末装置ＴＡとの近距離無線通信が不可能になったとの判定結果が通知されると前記動画の生成を終了させ、この生成した動画をファイルネームを付してＳＵ動画情報記憶部１５１に記憶する。前記動画のファイルネームは、適宜に設定されて良いが、例えば、「センサＩＤ＿当該センサ装置ＳＵでの生成順の通し番号＿年月日時分．動画ファイルの拡張子」（一例では「ＳＵ１＿００１１＿２０１７０１２３１４２３．ｍｐ４」等）で構成される。このようなファイルネームでは、動画データとその生成したセンサ装置ＳＵおよび年月日時それぞれとの対応付けがファイルネームによって実行でき、また、１つのレセプト作成支援システムＭＳにおいて、ファイルネームが重複することもない。
【００５２】
図１には、一例として、複数ｋ個のセンサ装置ＳＵ−１、ＳＵ−２、ＳＵ−３、・・・、〜ＳＵ−ｋが示されており、各センサ装置ＳＵそれぞれは、施設や住戸ＨＳ−１，ＨＳ−２、ＨＳ−３、・・・、ＨＳ−ｋ等における、例えば医療（在宅医療）や看護（訪問看護）や介護（訪問介護）等の、レセプトが作成されるサービスを受けるサービス受益者Ｏｂの各居室（部屋）に配置されている。
【００５３】
次に、サーバ装置ＳＶについて説明する。図３は、前記レセプト作成支援システムにおけるサーバ装置の構成を示す図である。
【００５４】
サーバ装置ＳＶは、ネットワークＮＷを介して他の装置ＳＵ、ＲＳ、ＴＡと通信する通信機能等を備え、センサ装置ＳＶから動画を受信した場合に前記受信した動画を前記センサ装置ＳＵに対応付けて記憶し、レセプト作成支援装置ＲＳから、センサ装置ＳＶを指定して動画の要求を受信した場合に、前記指定されたセンサ装置ＳＵに対応する動画を前記センサ装置ＳＵと対応付けて前記レセプト作成支援装置ＲＳへ返信する装置である。サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００５５】
ＳＶ通信ＩＦ部２１は、ＳＵ通信ＩＦ部１３と同様に、ＳＶ制御処理部２２に接続され、ＳＶ制御処理部２２の制御に従って通信を行うための通信回路であり、例えばデータ通信カード等である。
【００５６】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、サーバ装置ＳＶの各部を当該各部の機能に応じてそれぞれ制御するＳＶ制御プログラムや、受信した動画を記憶し、要求に応じて動画を送信するＳＶ動画処理プログラムや、年月日時分を計時する時計プログラム等の制御処理プログラムが含まれる。前記各種の所定のデータには、自機の、サーバ装置ＳＶを特定しサーバ装置ＳＶを識別するための識別子であるサーバ装置識別子（サーバＩＤ）、動画データ、タグファイル、および、センサ情報等の各プログラムを実行する上で必要なデータ等が含まれる。ＳＶ記憶部２３は、例えばＲＯＭ、ＥＥＰＲＯＭおよびＲＡＭ等を備える。そして、ＳＶ記憶部２３は、前記動画データを記憶するサーバ側動画情報記憶部（ＳＶ動画情報記憶部）２３１、前記タグファイルを記憶するサーバ側タグ情報記憶部（ＳＶタグ情報記憶部）２３２、および、前記センサ情報を記憶するサーバ側センサ情報記憶部（ＳＶセンサ情報記憶部）２３３を機能的に備える。
【００５７】
前記動画データは、センサ装置ＳＵで上述のように生成され前記センサ装置ＳＵから受信した動画のデータである。ＳＶ動画情報記憶部２３１は、センサ装置ＳＵから受信した動画データを、前記センサ装置ＳＵと対応付けて記憶する。本実施形態では、上述のように、動画データのファイルネームにセンサ装置ＳＵのセンサＩＤが組み込まれているので、ＳＶ動画情報記憶部２３１は、動画データをそのファイルネームと合わせて記憶することで、センサ装置ＳＵから受信した動画データを、前記センサ装置ＳＵと対応付けて記憶できる。
【００５８】
前記タグファイルは、レセプト作成支援装置ＲＳで後述のように生成され前記レセプト作成支援装置ＲＳから受信したデータである。タグファイルは、後述する。ＳＶタグ情報記憶部２３２は、タグファイルを、タグを付す対象となった動画（対象動画）に対応付けて記憶する。タグファイルのファイルネームは、適宜に設定されて良いが、本実施形態では、例えば、対象動画のファイルネームの拡張子をタグの拡張子（例えばｔａｇ等）に変更することによって作成される。このため、ＳＶタグ情報記憶部２３２は、タグファイルをそのファイルネームと合わせて記憶することで、タグファイルを、タグを付す対象となった動画（対象動画）に対応付けて記憶できる。
【００５９】
前記センサ情報は、センサ装置ＳＵに関する情報であり、本実施形態では、センサ装置ＳＵのセンサＩＤと、その配設場所と、それによって撮像（撮影）されるサービス受益者Ｏｂの氏名とを互いに対応付けた情報である。ＳＶセンサ情報記憶部２３３は、前記センサ情報を予め記憶するものである。
【００６０】
前記センサ情報によって、センサ装置ＳＵのセンサＩＤと、前記センサ装置ＳＵによって撮像（撮影）されるサービス受益者Ｏｂとは、互いに対応付けられている。センサＩＤは、センサ装置ＳＵの識別子である。このため、本明細書では、「センサ装置ＳＵに対応付ける」とは、「サービス受益者Ｏｂに対応付ける」と同義であって、さらに、「センサＩＤに対応付ける」と同義である。
【００６１】
ＳＶ制御処理部２２は、サーバ装置ＳＶの各部を当該各部の機能に応じてそれぞれ制御し、センサ装置ＳＶから動画を受信した場合に前記受信した動画を前記センサ装置ＳＵに対応付けて記憶し、レセプト作成支援装置ＲＳから、センサ装置ＳＶを指定して動画の要求を受信した場合に、前記指定されたセンサ装置ＳＵに対応する動画を前記センサ装置ＳＵと対応付けて前記レセプト作成支援装置ＲＳへ返信するための回路である。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１、サーバ側動画処理部（ＳＶ動画処理部）２２２およびサーバ側時計部（ＳＶ時計部）２２３を機能的に備える。
【００６２】
ＳＶ制御部２２１は、サーバ装置ＳＶの各部を当該各部の機能に応じてそれぞれ制御し、サーバ装置ＳＶの全体制御を司るものである。
【００６３】
ＳＶ動画処理部２２２は、センサ装置ＳＶから動画（動画データ）を受信した場合に前記受信した動画を前記センサ装置ＳＵ（センサＩＤ、サービス受益者Ｏｂ）に対応付けてＳＶ記憶部２３に記憶する。より具体的には、本実施形態では、ＳＶ動画処理部２２２は、センサ装置ＳＶから動画を受信した場合に前記受信した動画をそのファイルネームと合わせてＳＶ動画情報記憶部２３１に記憶する。ＳＶ動画処理部２２２は、レセプト作成支援装置ＲＳからタグファイルを受信した場合に前記受信したタグファイルを、タグを付す対象となった対象動画に対応付けて記憶する。より具体的には、本実施形態では、ＳＶ動画処理部２２２は、レセプト作成支援装置ＲＳからタグファイルを受信した場合に前記受信したタグファイルをそのファイルネームと合わせてＳＶタグ情報記憶部２３２に記憶する。ＳＶ動画処理部２２２は、レセプト作成支援装置ＲＳから、センサ装置ＳＶ（センサＩＤ、サービス受益者Ｏｂ）を指定して動画の要求を受信した場合に、前記指定されたセンサ装置ＳＵ（センサＩＤ、サービス受益者Ｏｂ）に対応する動画を前記センサ装置ＳＵ（センサＩＤ、サービス受益者Ｏｂ）と対応付けて前記レセプト作成支援装置ＲＳへ返信する。
【００６４】
ＳＶ時計部２２３は、年月日時分を計時するものである。ＳＶ時計部２２３で計時された年月日時分は、例えば、通信信号の送信、その受信、および、データの記憶等のタイムスタンプに用いられる。
【００６５】
なお、サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データ等を出力するサーバ側出力部（ＳＶ出力部）２５、および、外部機器との間でデータの入出力を行うサーバ側インターフェース部（ＳＶＩＦ部）２６等を備えても良い。
【００６６】
このようなサーバ装置ＳＶは、例えば、通信機能付きのコンピュータによって構成可能である。サーバ装置ＳＶは、例えば、このレセプト作成支援システムＭＳを管理する管理者の建屋に配置される。
【００６７】
次に、レセプト作成支援装置ＲＳについて説明する。図４は、前記レセプト作成支援システムにおける医療介護関連情報作成支援装置の一例としてのレセプト作成支援装置の構成を示す図である。図５は、前記レセプト作成支援システムにおけるタグファイルの構成を示す図である。
【００６８】
レセプト作成支援装置ＲＳは、ネットワークＮＷを介して他の装置ＳＵ、ＳＶ、ＴＡと通信する通信機能等を備え、レセプトの作成を支援する装置である。本実施形態では、レセプト作成支援装置ＲＳは、ユーザ（オペレータ）から受け付けたタグ付け指示によって、処理の対象である対象動画に、レセプトに記入すべき事象が含まれている前記対象動画中の位置（タイミング（時点））を示すタグ（ラベル、目印）を付ける。本実施形態では、さらに、レセプト作成支援装置ＲＳは、前記タグを付ける際に、レセプトに記入すべき１または複数の事項を、ユーザから受け付けて前記タグに対応付ける。そして、レセプト作成支援装置ＲＳは、これら互いに対応付けられたタグおよび１または複数の事項をタグファイルに格納し、前記タグファイルを記憶するとともに、サーバ装置ＳＶへ送信する。このようなレセプト作成支援装置ＲＳは、例えば、図４に示すように、レセプト側通信インターフェース部（ＲＳ通信ＩＦ部）３１と、レセプト側制御処理部（ＲＳ制御処理部）３２と、レセプト側入力部（ＲＳ入力部）３３と、レセプト側表示部（ＲＳ表示部）３４と、レセプト側インターフェース部（ＲＳＩＦ部）１５と、レセプト側記憶部（ＲＳ記憶部）３６とを備える。
【００６９】
ＲＳ通信ＩＦ部３１は、ＳＵ通信ＩＦ部１３と同様に、ＲＳ制御処理部３２に接続され、ＲＳ制御処理部３２の制御に従って通信を行うための通信回路であり、例えばデータ通信カード等である。
【００７０】
ＲＳ入力部３３は、ＲＳ制御処理部３２に接続され、例えば、所定の操作を受け付け、レセプト作成支援装置ＲＳに入力する回路であり、例えば、キーボードやマウス等である。前記所定の操作には、対象動画の指定や、前記指定した対象動画の取得指示や、前記取得した対象動画に、レセプトに記入すべき事象が含まれている前記対象動画中の位置を示すタグを付けるタグ付け指示や、レセプトに記入すべき１または複数の事項の入力や、付けたタグおよび入力した事項それぞれの修正や削除の各指示や、タグ付けの終了指示や、タグのチェックの終了指示等が含まれる。
【００７１】
ＲＳ表示部３４は、ＲＳ制御処理部３２に接続され、ＲＳ制御処理部３２の制御に従って、対象動画やＲＳ入力部３３から入力された所定の操作内容等を表示する回路であり、例えばＬＣＤ（液晶ディスプレイ）および有機ＥＬディスプレイ等の表示装置である。
【００７２】
なお、ＲＳ入力部３３およびＲＳ表示部３４からタッチパネルが構成されても良い。この場合において、ＲＳ入力部３３は、例えば抵抗膜方式や静電容量方式等の操作位置を検出して入力する位置入力デバイスである。このタッチパネルでは、ＲＳ表示部３４の表示面上に位置入力デバイスが設けられ、ＲＳ表示部３４に入力可能な１または複数の入力内容の候補が表示され、例えば、レセプトの作成を担当するユーザが、入力したい入力内容を表示した表示位置（表示領域）を触れると、位置入力デバイスによってその位置（領域）が検出され、検出された位置に表示された表示内容がユーザの操作入力内容としてレセプト作成支援装置ＲＳに入力される。
【００７３】
ＲＳ表示部３４は、対象動画を再生する再生部の一例に相当する。ＲＳ入力部３３は、前記再生部で前記対象動画の再生中に、レセプトに記入すべき事象が含まれている前記対象動画中の位置を示すタグを付けるタグ付け指示を受け付けるタグ付け入力部の一例に相当し、レセプトに記入すべき１または複数の事項を受け付ける記入事項入力部の一例に相当する。
【００７４】
ＲＳＩＦ部３５は、ＲＳ制御処理部３２に接続され、ＲＳ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００７５】
ＲＳ記憶部３６は、ＲＳ制御処理部３２に接続され、ＲＳ制御処理部３２の制御に従って、各種の所定のプログラムおよび各種の所定のデータを記憶する回路である。前記各種の所定のプログラムには、例えば、レセプト作成支援装置ＲＳの各部を当該各部の機能に応じてそれぞれ制御するＲＳ制御プログラムや、ＲＳ入力部３３から指定された対象動画をサーバ装置ＳＶに要求し、前記対象動画をサーバ装置ＳＶから取得してＲＳ記憶部３６に記憶するＲＳ動画処理プログラムや、ＲＳ入力部３３でタグ付け指示を受け付けた場合に、タグを表すタグ情報を前記対象動画に対応付けてＲＳ記憶部に記憶するタグ付け処理プログラムや、前記対象動画をＲＳ表示部３４で再生し、前記対象動画を再生する場合に、ＲＳ記憶部３６に記憶され、前記再生する対象動画に対応付けられたタグ情報に基づいてＲＳ表示部３４で前記対象動画を再生する再生制御プログラムや、年月日時分を計時し、前記対象動画の先頭からの経過時間を計時するＲＳ時計計時プログラム等の制御処理プログラムが含まれる。前記各種の所定のデータには、自機の、レセプト作成支援装置ＲＳを特定しレセプト作成支援装置ＲＳを識別するための識別子であるレセプト作成支援装置識別子（レセプト作成支援ＩＤ）、動画データ、タグファイル、項目情報、および、センサ情報等の各プログラムを実行する上で必要なデータ等が含まれる。ＲＳ記憶部３６は、例えばＲＯＭ、ＥＥＰＲＯＭおよびＲＡＭ等を備える。そして、ＲＳ記憶部３６は、前記動画データを記憶するレセプト側動画情報記憶部（ＲＳ動画情報記憶部）３６１、前記タグファイルを記憶するレセプト側タグ情報記憶部（ＲＳタグ情報記憶部）３６２、前記項目情報を記憶する項目情報記憶部３６３、および、前記センサ情報を記憶するレセプト側センサ情報記憶部（ＲＳセンサ情報記憶部）３６４を機能的に備える。
【００７６】
ＲＳ動画情報記憶部３６１は、センサ装置ＳＵからサーバ装置ＳＶを介して受信した動画データを、前記センサ装置ＳＵ（センサＩＤ、サービス受益者Ｏｂ）と対応付けて記憶する。本実施形態では、上述のように、動画データのファイルネームにセンサ装置ＳＵのセンサＩＤが組み込まれているので、ＲＳ動画情報記憶部３６１は、動画データをそのファイルネームと合わせて記憶することで、動画データを、前記センサ装置ＳＵ（センサＩＤ、サービス受益者Ｏｂ）と対応付けて記憶できる。
【００７７】
前記タグファイルは、レセプトに記入すべき事象が含まれている対象動画中の位置を示すタグを表すタグ情報の一例であり、タグを格納したファイルである。本実施形態では、前記対象動画の先頭からの経過時間が前記タグとして求められ、この求めた経過時間が前記タグファイルに格納される。本実施形態では、前記タグファイルには、さらに、レセプトに記入すべき１または複数の事項（記入事項）が前記経過時間（タグ）に対応付けられてタグファイルに格納される。本実施形態では、前記タグファイルは、これら経過時間（タグ）および記入事項を登録した表で構成される。前記経過時間および記入事項を登録するタグ情報表ＴＧは、例えば、図５に示すように、タグとして経過時間を登録する経過時間フィールド４１と、前記経過時間（タグ）に対応付けられる記入事項を登録する記入事項フィールド４２とを備え、前記経過時間（タグ）ごとにレコードを持つ。記入事項フィールド４２は、複数の記入事項を登録できるように、複数のサブ記入事項フィールドを備える。図５に示す例では、３個の記入事項を登録できるように、記入事項フィールド４２は、第１記入事項を登録する第１サブ記入事項フィールド４２１と、第２記入事項を登録する第２サブ記入事項フィールド４２２と、第３記入事項を登録する第３サブ記入事項フィールド４２３とを備える。
【００７８】
ＲＳタグ情報記憶部３６２は、タグファイルを、タグを付す対象となった対象動画に対応付けて記憶する。本実施形態では、上述のように、タグファイルのファイルネームが対象動画のファイルネームの拡張子をタグの拡張子（例えばｔａｇ等）に変更することによって作成されるので、ＲＳタグ情報記憶部３６２は、タグファイルをそのファイルネームと合わせて記憶することで、タグファイルを、タグを付す対象となった対象動画に対応付けて記憶できる。
【００７９】
前記項目情報は、前記記入事項の候補を表す情報であり、予め適宜に設定される。本実施形態では、３個の第１ないし第３記入事項を登録できるので、前記項目情報は、第１ないし第３記入事項別に、その候補を備える。例えば、第１記入事項に対応する項目情報（第１項目情報）は、例えば「問診」、「聴診」および「注射」等の、レセプトに記入すべき前記事象におけるサービスの内容を表すテキスト情報である。第２記入事項に対応する項目情報（第２項目情報）は、前記サービスの内容が保険の適用を受ける「保険内」、および、前記サービスの内容が保険の適用を受けられない「保険外」である。第３記入事項に対応する項目情報（第３項目情報）は、例えばサービス提供者ＮＳの氏名である。項目情報記憶部３６３は、前記項目情報を、第１ないし第３記入事項別に、記憶するものである。
【００８０】
前記センサ情報は、センサ装置ＳＵに関する情報であり、本実施形態では、上述したように、センサ装置ＳＵのセンサＩＤと、その配設場所と、それによって撮像されるサービス受益者Ｏｂの氏名とを互いに対応付けた情報である。ＲＳセンサ情報記憶部３６４は、前記センサ情報を予め記憶するものである。
【００８１】
ＲＳ制御処理部３２は、レセプト作成支援装置ＲＳの各部を当該各部の機能に応じてそれぞれ制御し、レセプトの作成を支援するための回路である。ＲＳ制御処理部３２は、例えば、ＣＰＵおよびその周辺回路を備えて構成される。ＲＳ制御処理部３２は、前記制御処理プログラムが実行されることによって、レセプト側制御部（ＲＳ制御部）３２１、レセプト側動画処理部（ＲＳ動画処理部）３２２、タグ付け処理部３２３、再生制御部３２４およびレセプト側時計計時部（ＲＳ時計計時部）３２５を機能的に備える。
【００８２】
ＲＳ制御部３２１は、レセプト作成支援装置ＲＳの各部を当該各部の機能に応じてそれぞれ制御し、レセプト作成支援装置ＲＳの全体制御を司るものである。
【００８３】
ＲＳ動画処理部３２２は、ＲＳ入力部３３で指定された対象動画をサーバ装置ＳＶに要求し、前記対象動画をサーバ装置ＳＶから取得してＲＳ記憶部３６に記憶するものである。
【００８４】
タグ付け処理部３２３は、ＲＳ入力部３３でタグ付け指示を受け付けた場合に、タグを表すタグ情報を前記対象動画に対応付けてＲＳ記憶部３６に記憶するものである。より具体的には、本実施形態では、タグ付け処理部３２３は、ＲＳ入力部３３でタグ付け指示を受け付けた場合に、ＲＳ時計計時部３２５から経過時間を前記タグとして求め、この求めた経過時間を格納したタグファイルを前記タグ情報として生成し、この生成したタグファイルを前記対象動画に対応付けてＲＳ記憶部３６のＲＳタグ情報記憶部３６２に記憶する。タグ付け処理部３２３は、ＲＳ入力部３３で前記タグ付け指示を受け付けた場合に、ＲＳ入力部３３で受け付けた１または複数の事項を、前記タグとして求めた経過時間に対応付けて前記タグファイルにさらに格納する。より詳しくは、タグ付け処理部３２３は、ＲＳ入力部３３で前記タグ付け指示を受け付けた場合に、ＲＳ時計計時部３２５から経過時間を前記タグとして求め、この求めた経過時間およびＲＳ入力部３３で受け付けた１または複数の事項を互いに対応付けて格納したタグファイルを前記タグ情報として生成し、この生成したタグファイルを前記対象動画に対応付けてＲＳ記憶部２３６のＲＳタグ情報記憶部３６２に記憶する。
【００８５】
再生制御部３２４は、ＲＳ動画処理部３２２によってサーバ装置ＳＶから取得された対象動画をＲＳ表示部３４で再生するものである。再生制御部３２４は、前記対象動画をＲＳ表示部３４で再生する際に、前記対象動画の先頭からの経過時間を計時させる指示をＲＳ時計計時部３２５へ通知する。再生制御部３２４は、前記対象動画を再生する場合に、ＲＳ記憶部３６に記憶され、前記再生する対象動画に対応付けられたタグ情報に基づいてＲＳ表示部３４で前記対象動画を再生する。
【００８６】
ＲＳ時計計時部３２５は、年月日時分を計時し、再生制御部３２４の指示に従って前記対象動画の先頭からの経過時間を計時するものである。ＲＳ時計計時部３２５で計時された年月日時分は、例えば、通信信号の送信、その受信、および、データの記憶等のタイムスタンプに用いられる。
【００８７】
このようなレセプト作成支援装置ＲＳは、例えば、通信機能付きのコンピュータによって構成可能である。レセプト作成支援装置ＲＳは、例えば、サービス提供者ＮＳの建屋に配置される。
【００８８】
携帯端末装置ＴＡは、ネットワークＮＷを介して他の装置ＳＶ、ＲＳ、ＳＵと通信する通信機能、所定の情報を表示する表示機能、所定の指示やデータを入力する入力機能、および、音声通話を行う通話機能等を備える装置である。携帯端末装置ＴＡには、自機の、携帯端末装置ＴＡを特定し携帯端末装置ＴＡを識別するための識別子である端末装置識別子（端末ＩＤ）が割り当てられ、記憶される。本実施形態では、携帯端末装置ＴＡは、近距離無線通信規格で近距離無線通信する機能をさらに備える。前記近距離無線通信規格は、本実施形態では、Ｂｌｕｅｔｏｏｔｈ（登録商標）規格である。携帯端末装置ＴＡは、前記サービス提供者ＮＳによって持ち運びされる。図１には、サービス提供者の一例として、介護士ＮＳ−１によって持ち運びされる携帯端末装置ＴＡ−１と、介護士ＮＳ−２によって持ち運びされる携帯端末装置ＴＡ−２とが図示されている。
【００８９】
このような携帯端末装置ＴＡは、例えば、いわゆるタブレット型コンピュータやスマートフォンや携帯電話機等の、持ち運び可能な通信端末装置によって構成可能である。
【００９０】
次に、本実施形態の動作について説明する。このようなレセプト作成支援システムＭＳでは、各装置ＳＵ、ＳＶ、ＲＳ、ＴＡは、電源が投入されると、必要な各部の初期化を実行し、その稼働を始める。センサ装置ＳＵでは、その制御処理プログラムの実行によって、ＳＵ制御処理部１２には、ＳＵ制御部１２１、ＳＵ動画処理部１２２、ＳＵ端末探知部１２３およびＳＵ時計部１２４が機能的に構成される。サーバ装置ＳＶでは、その制御処理プログラムの実行によって、ＳＶ制御処理部２２には、ＳＶ制御部２２１、ＳＶ動画処理部２２２およびＳＶ時計部２２３が機能的に構成される。レセプト作成支援装置ＲＳでは、その制御処理プログラムの実行によって、ＲＳ制御処理部３２には、ＲＳ制御部３２１、ＲＳ動画処理部３２２、タグ付け処理部３２３、再生制御部３２４およびＲＳ時計計時部３２５が機能的に構成される。
【００９１】
まず、レセプト作成支援に関する、センサ装置ＳＵの動作について説明する。図６は、前記センサ装置における動画生成に関する動作を示すフローチャートである。
【００９２】
図６において、センサ装置ＳＵは、ＳＵ制御処理部１２のＳＵ端末探知部１２３によって、携帯端末装置ＴＡを探知したか否かを判定する（Ｓ１１）。より具体的には、ＳＵ端末探知部１２３は、ＳＵ近距離無線通信ＩＦ部１４で、予め設定された前記所定の携帯端末装置ＴＡと近距離無線通信可能か否かを判定し、その判定結果をＳＵ動画処理部１２２へ通知する。より詳しくは、ＳＵ端末探知部１２３は、Ｐｒｏｘｉｍｉｔｙ  Ｐｒｏｆｉｌｅを用いて、ＳＵ記憶部１５のＳＵ端末情報記憶部１５２に記憶されている端末情報において、ペアリングされた携帯端末装置ＴＡと近距離無線通信可能か否かを判定し、その判定結果をＳＵ動画処理部１２２へ通知する。その判定の結果、前記ペアリングされた携帯端末装置ＴＡと近距離無線通信が可能である場合（携帯端末装置ＴＡが探知された場合、Ｙｅｓ）、センサ装置ＳＵは、ＳＵ動画処理部１２２によって、処理Ｓ１２を実行する。なお、サービス提供者ＮＳは、サービス受益者Ｏｂにサービスを提供する際に、携帯端末装置ＴＡを携帯し、サービス受益者Ｏｂの居室へ赴く。
【００９３】
この処理Ｓ１２では、ＳＵ動画処理部１２２は、ＳＵ端末情報記憶部１５２に記憶されている端末情報において、スクリプトに従って動画を生成中であるか否かを判定する。この判定の結果、動画の再生中ではない場合（Ｎｏ）、ＳＵ動画処理部１２２は、前記スクリプトに従って動画生成部１１に動画の生成を開始させ（Ｓ１４）、その次に、処理Ｓ１７を実行する。動画生成部１１は、ＳＵ動画処理部１２２による動画生成の開始指示に従って、音声付きの動画の生成を開始する。一方、前記判定の結果、動画の再生中である場合（Ｙｅｓ）、ＳＵ動画処理部１２２は、前記スクリプトに従って動画生成部１１に動画の生成を継続させ（Ｓ１５）、その次に、処理Ｓ１７を実行する。
【００９４】
一方、前記処理Ｓ１１における判定の結果、前記ペアリングされた携帯端末装置ＴＡと近距離無線通信が可能ではない場合（携帯端末装置ＴＡが探知されない場合、Ｎｏ）、センサ装置ＳＵは、ＳＵ動画処理部１２２によって、処理Ｓ１３を実行する。
【００９５】
この処理Ｓ１３では、ＳＵ動画処理部１２２は、ＳＵ端末情報記憶部１５２に記憶されている端末情報において、スクリプトに従って動画を生成中であるか否かを判定する。この判定の結果、動画の再生中ではない場合（Ｎｏ）、ＳＵ動画処理部１２２は、前記スクリプトに従って、次に処理Ｓ１７を実行する。一方、前記判定の結果、動画の再生中である場合（Ｙｅｓ）、ＳＵ動画処理部１２２は、前記スクリプトに従って動画生成部１１に動画の生成を終了させ、ＳＵ時計部１２４から年月日時分を取得し、この取得した年月日時分に基づいてファイルネームを生成し、動画生成部１１で生成した動画をＳＵ記憶部１５のＳＵ動画情報記憶部１５１に、前記生成したファイルネームを付して記憶し（Ｓ１６）、その次に、処理Ｓ１７を実行する。
【００９６】
前記処理Ｓ１７では、センサ装置ＳＵは、ＳＵ動画処理部１２２によって、動画（動画データ）の送信タイミングであるか否かを判定する。この判定の結果、動画の送信タイミングである場合には、センサ装置ＳＵは、ＳＵ動画処理部１２２によって、処理Ｓ１８を実行した後に、ＳＵ制御処理部１２のＳＵ制御部１２１によって、処理Ｓ１９を実行する。一方、前記判定の結果、動画の送信タイミングではない場合には、センサ装置ＳＵは、ＳＵ制御部１２１によって、次に処理Ｓ１９を実行する。
【００９７】
前記処理Ｓ１８では、ＳＵ動画処理部１２２は、動画生成部１１で生成しＳＵ動画情報記憶部１５１に記憶した動画を、動画をネットワークＮＷを介してサーバ装置ＳＶへ送信し、この送信済みの動画をＳＵ動画情報記憶部１５１から削除（消去）する。より具体的には、ＳＵ動画処理部１２２は、動画生成部１１で生成しＳＵ動画情報記憶部１５１に記憶した動画データおよびそのファイルネームを収容した通信信号（第１動画通知通信信号）をサーバ装置ＳＶ宛に生成し、この生成した第１動画通知通信信号をＳＵ通信ＩＦ部１３でネットワークＮＷに送信し、この送信済みの動画をＳＵ動画情報記憶部１５１から削除（消去）する。なお、前記動画通知通信信号には、さらに、自機のセンサＩＤや、送信時刻（第１動画通知通信信号の生成時刻）が収容されても良い。
【００９８】
前記処理Ｓ１９では、センサ装置ＳＵは、ＳＵ制御部１２１によって、その稼働が終了（停止）か否かを判定する。この判定の結果、稼働の終了（停止）である場合（Ｙｅｓ）には、センサ装置ＳＵは、本処理を終了し、一方、稼働の終了（停止）ではない場合（Ｎｏ）には、センサ装置ＳＵは、処理を処理Ｓ１１に戻す。なお、処理が処理Ｓ１１に戻される際に、予め設定された所定時間（例えば、１秒や、５秒や、１０秒等）を待つウェイト（Ｗａｉｔ）処理が実行された後に、処理が処理Ｓ１１に戻されても良い。
【００９９】
センサ装置ＳＵは、このように動作することによって、予めペアリングされた携帯端末装置ＴＡが近距離無線通信圏に入ると動画を生成し、前記携帯端末装置ＴＡが前記近距離無線通信圏を出ると動画の生成を終了し、この生成した動画を所定の送信タイミングでサーバ装置ＳＶへ送信する。センサ装置ＳＵは、レセプト作成支援に関し、大略、以上のように動作している。
【０１００】
次に、レセプト作成支援に関する、サーバ装置ＳＶの動作について説明する。図７は、前記サーバ装置における動画の送受信に関する動作を示すフローチャートである。
【０１０１】
図７において、サーバ装置ＳＶは、ＳＶ制御処理部２２のＳＶ制御部２２１によって、ＳＶ通信ＩＦ部２１で通信信号を受信したか否かを判定する（Ｓ２１）。この判定の結果、通信信号を受信していない場合（Ｎｏ）には、サーバ装置ＳＶは、処理をＳ２１に戻し、前記判定の結果、通信信号を受信している場合（Ｙｅｓ）には、サーバ装置ＳＶは、次の処理Ｓ２２を実行する。
【０１０２】
この処理Ｓ２２では、通信信号を受信すると、サーバ装置ＳＶは、ＳＶ制御処理部２２によって、この受信した通信信号の種類を判定する。この判定の結果、前記受信した通信信号が第１動画通知通信信号である場合（第１動画通知）には、サーバ装置ＳＶは、ＳＶ制御処理部２１のＳＶ動画処理部２２２によって、処理Ｓ２３を実行した後に処理Ｓ２７を実行する。前記判定の結果、前記受信した通信信号が動画要求通信信号である場合（動画要求）には、サーバ装置ＳＶは、ＳＶ動画処理部２２２によって、処理Ｓ２４を実行した後に処理Ｓ２７を実行する。前記動画要求通信信号は、センサ装置を指定して動画をサーバ装置ＳＶに要求するための通信信号であり、後述するように、レセプト作成支援装置ＲＳで生成され、レセプト作成支援装置ＲＳからサーバ装置ＳＶへ送信される。前記判定の結果、前記受信した通信信号がタグ情報通知通信信号である場合（タグ情報通知）には、サーバ装置ＳＶは、ＳＶ動画処理部２２２によって、処理Ｓ２５を実行した後に処理Ｓ２７を実行する。前記タグ情報通知通信信号は、タグ情報をサーバ装置ＳＶへ通知するための通信信号であり、後述するように、レセプト作成支援装置ＲＳで生成され、レセプト作成支援装置ＲＳからサーバ装置ＳＶへ送信される。そして、前記判定の結果、前記受信した通信信号が第１動画通知通信信号、動画要求通信信号およびタグ通知通信信号のうちのいずれでもない場合（その他）には、サーバ装置ＳＶは、ＳＶ制御処理部２２によって、処理Ｓ２６を実行した後に処理Ｓ２７を実行する。
【０１０３】
処理Ｓ２３では、ＳＶ動画処理部２２２は、センサ装置ＳＵから受信した動画（動画データ）の処理を実行する。より具体的には、ＳＶ動画処理部２２２は、センサ装置ＳＶから動画（動画データ）を受信した場合に、この受信した動画をそのファイルネームと合わせてＳＶ記憶部２３のＳＶ動画情報記憶部２３１に記憶する。より詳しくは、本実施形態では、ＳＶ動画処理部２２２は、処理Ｓ１１でセンサ装置ＳＶから受信した第１動画通知通信信号に収容された動画（動画データ）およびそのファイルネームを取り出し、この取り出した動画をそのファイルネームと合わせてＳＶ動画情報記憶部２３１に記憶する。
【０１０４】
処理Ｓ２４では、ＳＶ動画処理部２２２は、指定された動画（動画データ）をレセプト作成支援装置ＲＳへ返信する第２動画通知通信信号の返信の処理を実行する。より具体的には、ＳＶ動画処理部２２２は、レセプト作成支援装置ＲＳから、センサ装置ＳＶ（センサＩＤ、サービス受益者Ｏｂ）を指定して動画の要求を受信した場合に、前記指定されたセンサ装置ＳＵ（センサＩＤ、サービス受益者Ｏｂ）に対応する動画を前記センサ装置ＳＵ（センサＩＤ、サービス受益者Ｏｂ）と対応付けて前記レセプト作成支援装置ＲＳへ返信する。より詳しくは、本実施形態では、ＳＶ動画処理部２２２は、処理Ｓ１１でレセプト作成支援装置ＲＳから受信した動画要求通信信号に収容された動画（動画データ）を指定する指定条件を取り出し、この取り出した指定条件を満たす動画（動画データ）をＳＶ動画情報記憶部２３１から検索し、この検索した動画（動画データ）およびそのファイルネームを取得し、この取得した動画（動画データ）およびファイルネームを収容する通信信号（第２動画通知通信信号）をレセプト作成支援装置ＲＳ宛に生成し、この生成した第２動画通知通信信号をＳＶ通信ＩＦ部２１でネットワークＮＷに送信する。なお、第２動画通知通信信号には、動画要求通信信号に収容されていた指定条件がさらに収容されても良い。
【０１０５】
処理Ｓ２５では、ＳＶ動画処理部２２２は、レセプト作成支援装置ＲＳから受信したタグ情報の処理を実行する。より具体的には、ＳＶ動画処理部２２２は、レセプト作成支援装置ＲＳからタグファイルを受信した場合に前記受信したタグファイルをそのファイルネームと合わせてＳＶ記憶部２３のＳＶタグ情報記憶部２３２に記憶する。より詳しくは、本実施形態では、ＳＶ動画処理部２２２は、レセプト作成支援装置ＲＳから受信したタグ情報通知通信信号に収容されたタグファイルおよびそのファイルネームを取り出し、この取り出したタグファイルをそのファイルネームと合わせてＳＶタグ情報記憶部２３２に記憶する。
【０１０６】
前記処理Ｓ２６では、ＳＶ制御処理部２２は、処理Ｓ２１で受信した通信信号に応じた適宜な処理を実行する。
【０１０７】
そして、処理Ｓ２７では、サーバ装置ＳＶは、ＳＶ制御処理部２２によって、その稼働が終了（停止）か否かを判定する。この判定の結果、稼働の終了（停止）である場合（Ｙｅｓ）には、サーバ装置ＳＶは、本処理を終了し、一方、稼働の終了（停止）ではない場合（Ｎｏ）には、サーバ装置ＳＶは、処理を処理Ｓ２１に戻す。
【０１０８】
サーバ装置ＳＶは、このように動作することによって、センサ装置ＳＵから動画を受信するとこのセンサ装置ＳＵから受信した動画をＳＶ動画情報記憶部２３１に記憶し、レセプト作成支援装置ＲＳから動画の要求を受信するとその指定された動画をレセプト作成支援装置ＲＳへ返信し、レセプト作成支援装置ＲＳからタグ情報を受信すると、この受信したタグ情報をＳＶタグ情報記憶部２３２に記憶する。サーバ装置ＳＶは、レセプト作成支援に関し、大略、以上のように動作している。
【０１０９】
次に、レセプト作成支援に関する、レセプト作成支援装置ＲＳの動作について説明する。図８は、前記レセプト作成支援装置におけるタグ付けに関する動作を示すフローチャートである。図９は、前記サーバ装置および前記レセプト作成支援装置におけるタグ付けに関する動作を示すシーケンス図である。図１０は、前記レセプト作成支援装置に表示されるタグ付け画面の一例を示す図である。図１１は、前記レセプト作成支援装置におけるタグチェックに関する動作を示すフローチャートである。図１２は、前記レセプト作成支援装置に表示されるタグチェック画面の一例を示す図である。
【０１１０】
まず、タグ付けについて説明する。図８において、レセプト作成支援装置ＲＳは、対象動画にタグを付けるタグ付けの開始の指示をＲＳ入力部３３で受け付けると、ＲＳ制御処理部３２のタグ付け処理部３２３によって、タグ付け画面をＲＳ表示部３４に表示する（Ｓ３１）。
【０１１１】
前記タグ付け画面は、対象動画にタグを付けるための画面である。より具体的には、前記タグ付け画面は、前記対象動画を指定するための条件（指定条件）を入力し、この指定条件の動画をサーバ装置ＳＶに要求し、この要求に応じてサーバ装置ＳＶから受信した動画を対象動画として再生し、この再生中の対象動画に付けるタグを入力し、この入力したタグに対応付ける記入事項を入力し、これら入力されたタグおよび記入事項に基づいてタグファイルを生成させてＲＳ記憶部３６に記憶し、そして、この生成したタグファイルをサーバ装置ＳＶに送信するための画面である。
【０１１２】
このタグ付け画面ＴＰは、一例では、図１０に示すように、再生動画表示領域５１と、再生制御指示入力領域５２と、「終了」ボタン５３と、対象動画ファイルネーム入力表示領域５４と、年月日入力表示領域５５と、サービス受益者名入力表示領域５６と、「取得」ボタン５７と、記入事項入力表示領域５８と、「タグ付け」ボタン５９と、「確定」ボタン６０と、タグ情報表示領域６１とを備える。
【０１１３】
再生動画表示領域５１は、タグを付ける対象となる対象動画を再生して表示する領域である。図１０に示す例では、再生動画表示領域５１は、正面視にて、タグ付け画面ＴＰの左側に矩形領域で配置される。
【０１１４】
再生制御指示入力領域５２は、再生動画表示領域５１に表示される対象動画の再生動作（表示動作）を制御する指示を受け付けるための領域である。再生制御指示入力領域５２は、本実施形態では、再生／一時停止ボタン５２１と、早送りボタン５２２と、次タグジャンプボタン５２３と、早戻しボタン５２４と、前タグジャンプボタン５２５とを備える。図１０に示す例では、再生制御指示入力領域５２は、正面視にて、再生動画表示領域５１下側に配置される。
【０１１５】
再生／一時停止ボタン５２１は、再生動画表示領域５１に表示される対象動画に対する再生開始の指示および一時停止の指示を受け付けるボタンである。再生／一時停止ボタン５２１は、入力操作を受け付けるたびに、再生開始の指示を受け付ける再生開始ボタンと一時停止の指示を受け付ける一時停止ボタンとに交互に入れ換わる。再生／一時停止ボタン５２１の入力操作を受け付けると、対象動画の再生が停止している場合には、再生制御部３２４は、その停止時点（対象動画の先頭時点を含む）から、再生動画表示領域５１に表示される対象動画の再生を開始し、一方、対象動画が再生されている場合には、再生制御部３２４は、再生動画表示領域５１に表示される対象動画の再生を停止する。なお、再生／一時停止ボタン５２１は、対象動画が再生されている場合に、後述する「タグ付け」ボタン５９の機能を兼ねても良い。
【０１１６】
早送りボタン５２２は、再生動画表示領域５１に表示される対象動画の再生速度を速める指示を受け付けるボタンである。例えば、再生速度は、１倍速、１．５倍速、２倍速および４倍速等であり、早送りボタン５２２の入力操作を受け付けるたびに、再生制御部３２４は、再生動画表示領域５１に表示される対象動画の再生速度を、１倍速、１．５倍速、２倍速および４倍速の順でサイクリックに早める。
【０１１７】
次タグジャンプボタン５２３は、再生動画表示領域５１に表示される対象動画の再生を、現在における対象動画の再生位置に対し次に（時間的に後に）タグが付されている位置からの再生に切り換える指示を受け付けるボタンである。
【０１１８】
早戻しボタン５２４は、再生動画表示領域５１に表示される対象動画の戻し再生速度（逆再生の再生速度）を速める指示を受け付けるボタンである。例えば、戻し再生速度は、１倍速、１．５倍速、２倍速および４倍速等であり、早戻しボタン５２４の入力操作を受け付けるたびに、再生制御部３２４は、再生動画表示領域５１に表示される対象動画の戻し再生速度を、１倍速、１．５倍速、２倍速および４倍速の順でサイクリックに早める。
【０１１９】
前タグジャンプボタン５２５は、再生動画表示領域５１に表示される対象動画の再生を、現在における対象動画の再生位置に対し先に（時間的に前（過去）に）タグが付されている位置からの再生に切り換える指示を受け付けるボタンである。
【０１２０】
「終了」ボタン５３は、タグ付け画面ＴＰの表示を終了する指示を受け付けるボタンである。図１０に示す例では、「終了」ボタン５３は、正面視にて、再生制御指示入力領域５２の下側に配置される。
【０１２１】
対象動画ファイルネーム入力表示領域５４は、対象動画のファイルネームの入力を受け付ける領域であって、再生動画表示領域５１に対象動画が表示されている場合に、前記対象動画のファイルネームを表示する領域である。
【０１２２】
年月日入力表示領域５５は、対象動画を生成した年月日の入力を受け付ける領域であって、再生動画表示領域５１に対象動画が表示されている場合に、前記対象動画を生成した年月日を表示する領域である。
【０１２３】
サービス受益者名入力表示領域５６は、センサ装置ＳＵによって撮像（撮影）されるサービス受益者Ｏｂの氏名の入力を受け付ける領域であって、再生動画表示領域５１に対象動画が表示されている場合に、前記対象動画を生成したセンサ装置ＳＵによって撮像（撮影）されたサービス受益者Ｏｂの氏名（前記対象動画を生成したセンサ装置ＳＵが配設された居室（部屋）に居るサービス受益者Ｏｂの氏名）を表示する領域である。
【０１２４】
「取得」ボタン５７は、対象動画ファイルネーム入力表示領域５４で受け付けた対象動画のファイルネーム、年月日入力表示領域５５で受け付けた年月日、および、サービス受益者名入力表示領域５６で受け付けたサービス受益者Ｏｂの氏名を指定条件として、前記指定条件を満たす動画（動画データ）をサーバ装置ＳＶから取得する指示を受け付けるボタンである。なお、対象動画のファイルネームおよび年月日は、それぞれ、任意の入力項目であり、前記指定条件は、対象動画のファイルネームおよび年月日を含まなくて良い。すなわち、前記指定条件は、サービス受益者名入力表示領域５６で受け付けたサービス受益者Ｏｂの氏名（言い換えればセンサＩＤ、さらに言い換えればセンサ装置ＳＵ）を少なくとも含む。
【０１２５】
記入事項入力表示領域５８は、タグに対応付けるための、レセプトに記入すべき１または複数の事項（記入事項）の入力を受け付ける領域である。本実施形態では、３個の第１ないし第３記入事項の入力を受け付けられるように、記入事項入力表示領域５８は、第１記入事項の入力を受け付ける第１記入事項入力表示領域５８１と、第２記入事項の入力を受け付ける第２記入事項入力表示領域５８３と、第３記入事項の入力を受け付ける第３記入事項入力表示領域５８５とを備える。これら第１ないし第３記入事項入力表示領域５８１、５８３、５８５には、ＲＳ入力部３３から直接的にテキスト情報が入力される。そして、このテキスト情報の入力を支援するために、本実施形態では、記入事項入力表示領域５８は、これら第１ないし第３記入事項入力表示領域５８１、５８３、５８５それぞれに入力する記入事項の候補を表示させる第１ないし第３記入事項候補表示ボタン５８２、５８４、５８６をさらに備えている。第１記入事項候補表示ボタン５８２の入力操作を受け付けると、タグ付け処理部３２３は、ＲＳ記憶部３６の項目情報記憶部３６３に記憶されている第１記入事項に対応する項目情報（上述の例では「問診」、「聴診」および「注射」）を読み出し、この読み出した第１記入事項に対応する項目情報をプルダウンメニューで第１記入事項入力表示領域５８１に表示し、項目情報の選択の入力操作を受け付けると、その選択された項目情報を第１記入事項入力表示領域５８１に表示する。第２記入事項候補表示ボタン５８４の入力操作を受け付けると、タグ付け処理部３２３は、項目情報記憶部３６３に記憶されている第２記入事項に対応する項目情報（上述の例では「保険内」および「保険外」）を読み出し、この読み出した第２記入事項に対応する項目情報をプルダウンメニューで第２記入事項入力表示領域５８３に表示し、項目情報の選択の入力操作を受け付けると、その選択された項目情報を第２記入事項入力表示領域５８３に表示する。そして、第３記入事項候補表示ボタン５８６の入力操作を受け付けると、タグ付け処理部３２３は、項目情報記憶部３６３に記憶されている第３記入事項に対応する項目情報（上述の例では「サービス提供者名」）を読み出し、この読み出した第３記入事項に対応する項目情報をプルダウンメニューで第３記入事項入力表示領域５８５に表示し、項目情報の選択の入力操作を受け付けると、その選択された項目情報を第３記入事項入力表示領域５８５に表示する。
【０１２６】
なお、このサービス受益者Ｏｂの氏名の入力を支援するために、サービス受益者名入力表示領域５６は、サービス受益者名入力表示領域５６に入力するサービス受益者Ｏｂの氏名の候補を表示させるサービス受益者名候補表示ボタンをさらに備えても良い。この場合、前記サービス受益者名候補表示ボタンの入力操作を受け付けると、タグ付け処理部３２３は、ＲＳ記憶部３６のＲＳセンサ情報記憶部３６４に記憶されているサービス受益者Ｏｂの氏名を読み出し、この読み出した氏名をプルダウンメニューでサービス受益者名入力表示領域５６に表示し、氏名の選択の入力操作を受け付けると、その選択された氏名をサービス受益者名入力表示領域５６に表示する。
【０１２７】
「タグ付け」ボタン５９は、再生動画表示領域５１で再生されている対象動画に対し、再生動画表示領域５１に表示されている対象動画中の位置に、タグを付けるタグ付け指示を受け付けるボタンである。
【０１２８】
「確定」ボタン６０は、「タグ付け」ボタン５９で受け付けたタグ（経過時間）、および、記入事項入力表示領域５８で受け付けた記入事項（記入事項入力表示領域５８に入力された記入事項）を確定し、この確定したタグ（経過時間）および記入事項をタグ情報表示領域６１に表示するボタンである。
【０１２９】
タグ情報表示領域６１は、「タグ付け」ボタン５９で受け付けられて「確定」ボタン６０の入力操作で確定されたタグ（経過時間）、および、記入事項入力表示領域５８で受け付けられて「確定」ボタン６０の入力操作で確定された記入事項を表示するための領域である。タグ情報表示領域６１は、図１０に示す例では、図５に示すタグ情報表ＴＧと同様に構成され、タグとして経過時間を登録する経過時間フィールド６１１と、前記経過時間（タグ）に対応付けられる記入事項を登録する記入事項フィールド６１２とを備え、前記経過時間（タグ）ごとにレコードを持つ。記入事項フィールド６１２は、第１記入事項を登録する第１サブ記入事項フィールド６１２１と、第２記入事項を登録する第２サブ記入事項フィールド６１２２と、第３記入事項を登録する第３サブ記入事項フィールド６１２３とを備える。タグ情報表示領域６１は、本実施形態では、当該タグ情報表示領域６１に表示されるタグ情報表ＴＧの表示状態を制御する表示制御指示入力領域６１３をさらに備える。表示制御指示入力領域６１３は、タグ情報表ＴＧ全体に対する当該タグ情報表示領域６１に表示される部分の位置を示す垂直スクロールバー６１３２と、垂直スクロールバー６１３２を上へ移動する指示の入力を受け付ける上スクロールボタン６１３１と、垂直スクロールバー６１３２を下へ移動する指示の入力を受け付ける下スクロールボタン６１３３とを備える。垂直スクロールバー６１３２の移動に伴って、タグ情報表ＴＧ全体に対するタグ情報表示領域６１に表示される部分の位置が変更される。
【０１３０】
これら対象動画ファイルネーム入力表示領域５４、年月日入力表示領域５５およびサービス受益者名入力表示領域５６は、図１０に示す例では、正面視にて、タグ付け画面ＴＰの右上に左から右へ順に並べて矩形領域で配置され、「取得」ボタン５７は、その下側に配置されている。記入事項入力表示領域５８は、「取得」ボタン５７の下側に矩形領域で配置され、「タグ付け」ボタン５９および「確定」ボタン６０は、その下側に左右に並べて配置され、タグ情報表示領域６１は、それらの下側に矩形領域で配置されている。
【０１３１】
このようなタグ付け画面ＴＰがＲＳ表示部３４に表示されると、例えばレセプトを作成する担当者等のユーザ（オペレータ）は、ＲＳ入力部３３から、タグを付ける対象動画のサービス受益者Ｏｂの氏名を、サービス受益者名入力表示領域５６に入力し、「取得」ボタン５７をＲＳ入力部３３を用いて入力操作する。あるいは、前記ユーザ（オペレータ）は、ＲＳ入力部３３から、タグを付ける対象動画における年月日およびサービス受益者Ｏｂの氏名それぞれを、年月日入力表示領域５５およびサービス受益者名入力表示領域５６それぞれに入力し、「取得」ボタン５７をＲＳ入力部３３を用いて入力操作する。あるいは、タグを付ける対象動画のファイルネームを知っている場合には、前記ユーザ（オペレータ）は、ＲＳ入力部３３から、対象動画のファイルネームを対象動画ファイルネーム入力表示領域５４に入力し、「取得」ボタン５７をＲＳ入力部３３を用いて入力操作する。
【０１３２】
図８に戻って、上述の処理Ｓ３１の次に、レセプト作成支援装置ＲＳは、タグ付け処理部３２３によって、「取得」ボタン５７の入力操作を受け付けたか否かを判定する（Ｓ３２）。この判定の結果、「取得」ボタン５７の入力操作を受け付けていない場合（Ｎｏ）、タグ付け処理部３２３は、次に、処理Ｓ４３を実行し、一方、前記判定の結果、「取得」ボタン５７の入力操作を受け付けている場合（Ｙｅｓ）、タグ付け処理部３２３は、次に、処理Ｓ３３を実行する。
【０１３３】
この処理Ｓ３３では、レセプト作成支援装置ＲＳは、ＲＳ制御処理部３２のＲＳ動画処理部３２２によって、対象動画を要求する通信信号をサーバ装置ＳＶへ送信する。より具体的には、ＲＳ動画処理部３２２は、ＲＳ記憶部３６のＲＳセンサ情報記憶部３６４に記憶されたセンサ情報に基づいて、サービス受益者名入力表示領域５６で受け付けたサービス受益者Ｏｂの氏名に対応するセンサＩＤを求め、この求めたセンサＩＤを少なくとも含む指定条件、および、前記指定条件を満たす動画を要求する指示（命令、コマンド）を収容する通信信号（動画要求通信信号）をサーバ装置ＳＶ宛に生成し、この生成した動画要求通信信号をＲＳ通信ＩＦ部３１でネットワークＮＷへ送信する。なお、年月日が年月日入力表示領域５５に入力されている場合では、前記指定条件には、前記センサＩＤに加えて年月日を含む。あるいは、対象動画のファイルネームが対象動画ファイルネーム入力表示領域５４に入力されている場合では、前記指定条件には、前記センサＩＤに加えて、あるいは、前記センサＩＤに代え、対象動画のファイルネームを含む。また、ＲＳ動画処理部３２２は、センサＩＤに変換せずに、サービス受益者名入力表示領域５６で受け付けたサービス受益者Ｏｂの氏名を、前記動画要求通信信号に収容しても良い。これによって動画要求通信信号がレセプト作成支援装置ＲＳからネットワークＮＷを介してサーバ装置ＳＶへ送信される（図９のＣ１１）。
【０１３４】
サーバ装置ＳＶは、動画要求通信信号を受信すると、上述した処理Ｓ２１、処理Ｓ２２および処理Ｓ２４の各処理を実行し、これによって第２動画通知通信信号をレセプト作成支援装置ＲＳへ返信する（図９のＣ１２）。なお、処理Ｓ２１で受信した動画要求通信信号に収容された指定条件を満たす動画が複数存在する場合には、サーバ装置ＳＶは、前記指定条件を満たす複数の動画を第２動画通知通信信号でレセプト作成支援装置ＲＳへ返信する。そして、レセプト作成支援装置ＲＳでは、次のように、タグ付け処理が実行される（図９のＣ１３）。
【０１３５】
図８に戻って、上述の処理Ｓ３３の次に、レセプト作成支援装置ＲＳは、ＲＳ制御処理部３２のＲＳ制御部３２１によって、ＲＳ通信ＩＦ部３１で第２動画通知通信信号を受信したか否かを判定する（Ｓ３４）。この判定の結果、第２動画通知通信信号を受信していない場合（Ｎｏ）には、レセプト作成支援装置ＲＳは、処理をＳ２４に戻し、前記判定の結果、通信信号を受信している場合（Ｙｅｓ）には、レセプト作成支援装置ＲＳは、次の処理Ｓ３５を実行する。すなわち、レセプト作成支援装置ＲＳは、第２動画通知通信信号の受信を待ち受けている。
【０１３６】
第２動画通知通信信号を受信すると、処理Ｓ３５では、レセプト作成支援装置ＲＳは、ＲＳ動画処理部３２２によって、第２動画通知通信信号に収容されている動画およびそのファイルネームをＲＳ動画情報記憶部３６１に記憶し、再生制御部３２４によって、タグ付け画面ＴＰの再生動画表示領域５１に前記動画を対象動画として再生して表示し、ＲＳ時計計時部３２５に経過時間を計時させ、タグ付け処理部３２３によって、前記対象動画のファイルネーム、年月日およびサービス受益者Ｏｂの氏名それぞれを対象動画ファイルネーム入力表示領域５４、年月日入力表示領域５５およびサービス受益者名入力表示領域５６それぞれに表示する。
【０１３７】
ここで、第２動画通知通信信号に複数の動画が収容されている場合には、これら複数の動画のうちのいずれか１つを対象動画として選択するために、図１０に破線で示すように、対象動画ファイルネーム入力表示領域５４には、前記複数の動画それぞれに対応する複数のファイルネームを表示させるファイル候補表示ボタン５４１がさらに配置され、年月日入力表示領域５５には、前記複数の動画それぞれに対応する複数の年月日時分を表示させる年月日時分候補表示ボタン５５１がさらに配置される。ファイル候補表示ボタン５４１の入力操作を受け付けると、タグ付け処理部３２３は、前記複数のファイルネームをプルダウンメニューで対象動画ファイルネーム入力表示領域５４に表示し、ファイルネームの選択の入力操作を受け付けると、その選択されたファイルネームを対象動画ファイルネーム入力表示領域５４に表示し、そのファイルネームの動画を対象動画として再生動画表示領域５１に再生して表示する。一方、年月日時分候補表示ボタン５５１の入力操作を受け付けると、タグ付け処理部３２３は、前記複数の年月日時分をプルダウンメニューで年月日入力表示領域５５に表示し、年月日時分の選択の入力操作を受け付けると、その選択された年月日時分を年月日入力表示領域５５に表示し、その年月日時分の動画を対象動画として再生動画表示領域５１に再生して表示する。
【０１３８】
再生動画表示領域５１で対象動画が再生されて表示されると、前記ユーザは、再生中の対象動画に、レセプトに記入すべき事象が含まれているか否かを判定し、レセプトに記入すべき事象が含まれていると判定すると、前記ユーザは、「タグ付け」ボタン５９を入力操作する。なお、上述したように、前記ユーザは、再生／一時停止ボタン５２１（一時停止ボタン）を入力操作しても良い。
【０１３９】
図８において、上述の処理Ｓ３５の次に、レセプト作成支援装置ＲＳは、タグ付け処理部３２３によって、「タグ付け」ボタン５９の入力操作を受け付けたか否かを判定する（Ｓ３６）。この判定の結果、「タグ付け」ボタン５９の入力操作を受け付けていない場合（Ｎｏ）、タグ付け処理部３２３は、次に、処理Ｓ４０を実行し、一方、前記判定の結果、「タグ付け」ボタン５９の入力操作を受け付けている場合（Ｙｅｓ）、タグ付け処理部３２３は、次に、処理Ｓ３７を実行する。
【０１４０】
「タグ付け」ボタン５９の入力操作を受け付けると、処理Ｓ３７では、レセプト作成支援装置ＲＳは、再生制御部３２４によって、再生動画表示領域５１で再生中の対象動画を一時停止し、再生／一時停止ボタン５２１を再生開始ボタンに換える。
【０１４１】
再生動画表示領域５１で対象動画の再生が一時停止されて表示されると、前記ユーザは、対象動画における一時停止された位置の動画に対応付ける記入事項の有無を判定し、必要に応じて、１または複数の記入事項を記入事項入力表示領域５８に入力する。そして、前記ユーザは、前記タグ（経過時間）および必要に応じて入力された記入事項を確定するために、「確定」ボタン６０を入力操作する。
【０１４２】
図８において、上述の処理Ｓ３７の次に、レセプト作成支援装置ＲＳは、タグ付け処理部３２３によって、「確定」ボタン６０の入力操作を受け付けたか否かを判定する（Ｓ３８）。この判定の結果、「確定」ボタン６０の入力操作を受け付けていない場合（Ｎｏ）、タグ付け処理部３２３は、処理を、処理Ｓ３８に戻し、一方、前記判定の結果、「確定」ボタン６０の入力操作を受け付けている場合（Ｙｅｓ）、タグ付け処理部３２３は、次に、処理Ｓ３９を実行する。
【０１４３】
この処理Ｓ３９では、「確定」ボタン６０の入力操作を受け付けると、タグ付け処理部３２３は、ＲＳ時計計時部３２５から、前記対象動画の先頭からの経過時間を前記タグとして求め、このタグとして求めた経過時間をタグ情報表示領域６１に新たに作成したレコードの経過時間フィールド６１１に登録して表示する。記入事項入力表示領域５８で記入事項が入力されている場合には、タグ付け処理部３２３は、記入事項入力表示領域５８に入力された記入事項も、前記新たに作成したレコードの記入事項フィールド６１２に登録して表示する。
【０１４４】
次に、レセプト作成支援装置ＲＳは、再生制御部３２４によって、再生動画表示領域５１で再生して表示していた対象動画が終了か否かを判定する（Ｓ４０）。この判定の結果、対象動画が終了している場合（Ｙｅｓ、処理Ｓ３６の「タグ付け」ボタン５９の入力操作のタイミングが対象画像の終了時点であった場合）には、レセプト作成支援装置ＲＳは、タグ付け処理部３２３によって、次に、処理Ｓ４３を実行する。一方、前記判定の結果、対象動画が終了していない場合（Ｎｏ）には、レセプト作成支援装置ＲＳは、タグ付け処理部３２３によって、次に、処理Ｓ４１を実行する。
【０１４５】
この処理Ｓ４１では、レセプト作成支援装置ＲＳは、タグ付け処理部３２３によって、「終了」ボタン５３の入力操作を受け付けたか否かを判定する。この判定の結果、「終了」ボタン５３の入力操作を受け付けていない場合（Ｎｏ）、レセプト作成支援装置ＲＳは、再生制御部３２４によって、次に、処理Ｓ４２を実行し、一方、前記判定の結果、「終了」ボタン５３の入力操作を受け付けている場合（Ｙｅｓ）、レセプト作成支援装置ＲＳは、タグ付け処理部３２３によって、次に、処理Ｓ４４を実行する。
【０１４６】
この処理Ｓ４２では、再生制御部３２４は、再生動画表示領域５１で対象動画を再生して表示し、処理を処理Ｓ３６に戻す。
【０１４７】
一方、前記処理Ｓ４３では、レセプト作成支援装置ＲＳは、タグ付け処理部３２３によって、「終了」ボタン５３の入力操作を受け付けたか否かを判定する。この判定の結果、「終了」ボタン５３の入力操作を受け付けていない場合（Ｎｏ）、レセプト作成支援装置ＲＳは、処理を、処理Ｓ３２に戻し、一方、前記判定の結果、「終了」ボタン５３の入力操作を受け付けている場合（Ｙｅｓ）、レセプト作成支援装置ＲＳは、タグ付け処理部３２３によって、次に、処理Ｓ４４を実行する。
【０１４８】
処理Ｓ４４では、レセプト作成支援装置ＲＳは、タグ付け処理部３２３によって、タグ付け画面ＴＰで付与されたタグに基づいてタグファイルを生成し、この生成したタグファイルをＲＳ記憶部３６のＲＳタグ情報記憶部３６２に記憶する。より具体的には、「終了」ボタン５３の入力操作を受け付けると、タグ付け処理部３２３は、タグ情報表示領域６１に表示されているタグ（経過時間）および記入事項に基づいてタグファイルを生成してＲＳタグ情報記憶部３６２に記憶する。より詳しくは、タグ付け処理部３２３は、再生動画表示領域５１に表示されている対象動画のファイルネームからタグファイルのファイルネームを生成し、タグ情報表示領域６１に表示されているタグ（経過時間）および記入事項を登録したタグ情報表ＴＧを備えて構成されるタグファイルを生成し、タグファイルをそのファイルネームと合わせてＲＳタグ情報記憶部３６２に記憶する。
【０１４９】
次に、レセプト作成支援装置ＲＳは、タグ付け処理部３２３によって、この生成したタグファイルを収容した通信信号（タグ情報通知通信信号）をサーバ装置ＳＶへ送信し（Ｓ４５）、本処理を終了する。より具体的には、タグ付け処理部３２３は、処理Ｓ４４で生成したタグファイルおよびそのファイルネームを収容する通信信号（タグ情報通知通信信号）をサーバ装置ＳＶ宛に生成し、この生成したタグ情報通知通信信号をＲＳ通信ＩＦ部３１でネットワークＮＷへ送信し、本処理を終了する。これによってタグ情報通知通信信号がレセプト作成支援装置ＲＳからネットワークＮＷを介してサーバ装置ＳＶへ送信される（図９のＣ１４）。
【０１５０】
サーバ装置ＳＶは、タグ情報通知通信信号を受信すると、上述した処理Ｓ２１、処理Ｓ２２および処理Ｓ２５の各処理を実行し、これによってタグファイルをそのファイルネームと合わせてＳＶタグ情報記憶部２３２に記憶する（図９のＣ１５）。
【０１５１】
そして、レセプト作成支援装置ＲＳは、ＲＳ制御処理部３２によって、タグ付け画面ＴＰの表示を終了し、所定の画面（例えば図略のメニュー画面等）をＲＳ表示部３４に表示する。
【０１５２】
レセプト作成支援装置ＲＳは、このように動作することによって、サーバ装置ＳＶから対象動画を取得し、タグ付け画面ＴＰで、この取得した対象動画を再生しながら、タグを付け、必要に応じてこの付けたタグに対応付ける記入事項を入力し、タグファイルを生成して記憶し、そして、この生成したタグファイルをサーバ装置ＳＶへ送信する。
【０１５３】
次に、上述のように付与されたタグのチェックおよびその修正、削除について説明する。図１１において、レセプト作成支援装置ＲＳは、対象動画に付与したタグに対するチェックの開始の指示をＲＳ入力部３３で受け付けると、ＲＳ制御処理部３２のタグ付け処理部３２３によって、タグチェック画面をＲＳ表示部３４に表示する（Ｓ７１）。
【０１５４】
前記タグチェック画面は、対象動画に付けたタグをチェックするための画面である。より具体的には、前記タグチェック画面は、前記対象動画を指定するための条件（指定条件）を入力し、この指定条件の動画およびこの動画に対応付けられたタグファイルの検索を要求し、この要求に応じて検索した指定条件の動画を対象動画として再生すると共にタグファイルに格納されたタグを表示し、この表示されたタグの修正、削除、必要に応じたタグの追加によってタグをチェックし、チェックに応じてタグファイルを生成させてＲＳ記憶部３６に記憶し、そして、この生成したタグファイルをサーバ装置ＳＶに送信するための画面である。
【０１５５】
このタグチェック画面ＣＰは、一例では、図１２に示すように、再生動画表示領域５１と、再生制御指示入力領域５２と、「終了」ボタン５３と、対象動画ファイルネーム入力表示領域５４と、年月日入力表示領域５５と、サービス受益者名入力表示領域５６と、記入事項入力表示領域５８と、「確定」ボタン６０と、タグ情報表示領域６１と、「検索」ボタン７１と、「タグ付け追加」ボタン７２と、「削除」ボタン７３と、「修正」ボタン７４とを備える。これらタグチェック画面ＣＰにおける再生動画表示領域５１、再生制御指示入力領域５２、「終了」ボタン５３、対象動画ファイルネーム入力表示領域５４、年月日入力表示領域５５、サービス受益者名入力表示領域５６、記入事項入力表示領域５８、「確定」ボタン６０およびタグ情報表示領域６１は、それぞれ、タグ付け画面ＴＰにおける再生動画表示領域５１、再生制御指示入力領域５２、「終了」ボタン５３、対象動画ファイルネーム入力表示領域５４、年月日入力表示領域５５、サービス受益者名入力表示領域５６、記入事項入力表示領域５８、「確定」ボタン６０およびタグ情報表示領域６１と同様であるので、その説明を省略する。
【０１５６】
「検索」ボタン７１は、対象動画ファイルネーム入力表示領域５４で受け付けた対象動画のファイルネーム、年月日入力表示領域５５で受け付けた年月日、および、サービス受益者名入力表示領域５６で受け付けたサービス受益者Ｏｂの氏名を指定条件として、前記指定条件を満たす動画（動画データ）およびそれに対応するタグファイルをＲＳ動画情報記憶部３６１およびＲＳタグ情報記憶部３６２それぞれから検索して取得する指示を受け付けるボタンである。なお、対象動画のファイルネームおよび年月日は、それぞれ、任意の入力項目であり、前記指定条件は、対象動画のファイルネームおよび年月日を含まなくて良い。すなわち、前記指定条件は、サービス受益者名入力表示領域５６で受け付けたサービス受益者Ｏｂの氏名を少なくとも含む。
【０１５７】
「タグ付け追加」ボタン７２は、再生動画表示領域５１で再生されている対象動画に対し、再生動画表示領域５１に表示されている対象動画中の位置に、タグを追加して付けるタグ付け指示を受け付けるボタンである。
【０１５８】
「削除」ボタン７３は、タグ情報表示領域６１に表示されているタグを削除する指示を受け付けるボタンである。
【０１５９】
「修正」ボタン７３は、タグ情報表示領域６１に表示されている記入事項を修正する指示を受け付けるボタンである。
【０１６０】
これら対象動画ファイルネーム入力表示領域５４、年月日入力表示領域５５およびサービス受益者名入力表示領域５６は、図１２に示す例では、正面視にて、タグチェック画面ＣＰの右上に左から右へ順に並べて矩形領域で配置され、「検索」ボタン７１は、その下側に配置されている。記入事項入力表示領域５８は、「検索」ボタン７１の下側に矩形領域で配置され、「タグ付け追加」ボタン７２、「削除」ボタン７３、「修正」ボタン７４および「確定」ボタン６０は、その下側に左から右へ順に並べて配置され、タグ情報表示領域６１は、それらの下側に矩形領域で配置されている。
【０１６１】
このようなタグチェック画面ＣＰがＲＳ表示部３４に表示されると、例えばレセプトをチェックする担当者等のユーザ（オペレータ）は、ＲＳ入力部３３から、タグをチェックする対象動画のサービス受益者Ｏｂの氏名を、サービス受益者名入力表示領域５６に入力し、「検索」ボタン７１をＲＳ入力部３３を用いて入力操作する。あるいは、前記ユーザ（オペレータ）は、ＲＳ入力部３３から、タグをチェックする対象動画における年月日およびサービス受益者Ｏｂの氏名それぞれを、年月日入力表示領域５５およびサービス受益者名入力表示領域５６それぞれに入力し、「検索」ボタン７１をＲＳ入力部３３を用いて入力操作する。あるいは、タグをチェックする対象動画のファイルネームを知っている場合には、前記ユーザ（オペレータ）は、ＲＳ入力部３３から、対象動画のファイルネームを対象動画ファイルネーム入力表示領域５４に入力し、「検索」ボタン７１をＲＳ入力部３３を用いて入力操作する。
【０１６２】
図１１に戻って、上述の処理Ｓ７１の次に、レセプト作成支援装置ＲＳは、タグ付け処理部３２３によって、「検索」ボタン７１の入力操作を受け付けたか否かを判定する（Ｓ７２）。この判定の結果、「検索」ボタン７１の入力操作を受け付けていない場合（Ｎｏ）、タグ付け処理部３２３は、次に、処理Ｓ８３を実行し、一方、前記判定の結果、「検索」ボタン７１の入力操作を受け付けている場合（Ｙｅｓ）、タグ付け処理部３２３は、次に、処理Ｓ７３を実行する。
【０１６３】
この処理Ｓ８３では、レセプト作成支援装置ＲＳは、タグ付け処理部３２３によって、「終了」ボタン５３の入力操作を受け付けたか否かを判定する。この判定の結果、「終了」ボタン５３の入力操作を受け付けていない場合（Ｎｏ）、レセプト作成支援装置ＲＳは、処理を、処理Ｓ７２に戻し、一方、前記判定の結果、「終了」ボタン５３の入力操作を受け付けている場合（Ｙｅｓ）、レセプト作成支援装置ＲＳは、タグ付け処理部３２３によって、次に、処理Ｓ７９を実行する。
【０１６４】
前記処理Ｓ７３では、「検索」ボタン７１の入力操作を受け付けると、レセプト作成支援装置ＲＳは、ＲＳ制御処理部３２によって、対象動画ファイルネーム入力表示領域５４で受け付けた対象動画のファイルネーム、年月日入力表示領域５５で受け付けた年月日、および、サービス受益者名入力表示領域５６で受け付けたサービス受益者Ｏｂの氏名を指定条件として、前記指定条件を満たす動画（動画データ）およびそれに対応するタグファイルをＲＳ動画情報記憶部３６１およびＲＳタグ情報記憶部３６２それぞれから検索して取得する。なお、レセプト作成支援装置ＲＳは、「取得」ボタン５７の入力操作に応じて実行される処理と同様な処理によって、前記指定条件を満たす動画（動画データ）およびそれに対応するタグファイルをサーバ装置ＳＶから取得しても良い。そして、これらを取得すると、レセプト作成支援装置ＲＳは、再生制御部３２４によって、タグチェック画面ＣＰの再生動画表示領域５１に対象動画を再生して表示し、ＲＳ時計計時部３２５に経過時間を計時させ、タグ付け処理部３２３によって、前記対象動画のファイルネーム、年月日およびサービス受益者Ｏｂの氏名それぞれを対象動画ファイルネーム入力表示領域５４、年月日入力表示領域５５およびサービス受益者名入力表示領域５６それぞれに表示し、タグファイルに格納されたタグ情報表ＴＧをタグチェック画面ＣＰのタグ情報表示領域６１に表示する。
【０１６５】
ここで、前記指定条件を満たす動画が複数存在する場合には、これら複数の動画のうちのいずれか１つを対象動画として選択するために、図１２に破線で示すように、対象動画ファイルネーム入力表示領域５４には、前記複数の動画それぞれに対応する複数のファイルネームを表示させるファイル候補表示ボタン５４１がさらに配置され、年月日入力表示領域５５には、前記複数の動画それぞれに対応する複数の年月日時分を表示させる年月日時分候補表示ボタン５５１がさらに配置される。ファイル候補表示ボタン５４１の入力操作を受け付けると、タグ付け処理部３２３は、前記複数のファイルネームをプルダウンメニューで対象動画ファイルネーム入力表示領域５４に表示し、ファイルネームの選択の入力操作を受け付けると、その選択されたファイルネームを対象動画ファイルネーム入力表示領域５４に表示し、そのファイルネームの動画を対象動画として再生動画表示領域５１に再生して表示し、前記動画に対応付けられたタグファイルに格納されたタグ情報表ＴＧをタグチェック画面ＣＰのタグ情報表示領域６１に表示する。一方、年月日時分候補表示ボタン５５１の入力操作を受け付けると、タグ付け処理部３２３は、前記複数の年月日時分をプルダウンメニューで年月日入力表示領域５５に表示し、年月日時分の選択の入力操作を受け付けると、その選択された年月日時分を年月日入力表示領域５５に表示し、その年月日時分の動画を対象動画として再生動画表示領域５１に再生して表示し、前記動画に対応付けられたタグファイルに格納されたタグ情報表ＴＧをタグチェック画面ＣＰのタグ情報表示領域６１に表示する。
【０１６６】
再生動画表示領域５１で対象動画が再生されて表示され、タグ情報表示領域６１にタグ（経過時間）および記入事項が表示されると、前記ユーザは、再生動画表示領域５１に表示された対象画像を参照しながら、タグ情報表示領域６１に表示されたタグ（経過時間）および記入事項をチェックする。この際に、前記ユーザは、次タグジャンプボタン５２３や前タグジャンプボタン５２５の入力操作によって、タグごとに対象動画の再生をジャンプしても良い。前記チェックによって、タグの追加が必要と判断した場合には、前記ユーザは、「タグ付け追加」ボタン７２の入力操作を実行する。また、前記チェックによって、タグの削除が必要と判断した場合には、前記ユーザは、「削除」ボタン７３の入力操作を実行する。前記チェックによって、タグに対応付けられた記入事項の修正が必要と判断した場合には、前記ユーザは、「修正」ボタン７４の入力操作を実行する。
【０１６７】
上述の処理Ｓ７３の次に、レセプト作成支援装置ＲＳは、タグ付け処理部３２３によって、いずれかのボタン７２、７３、７４、５２３、５２５、５３の入力操作を受け付けたか否かを判定する（Ｓ７４）。この判定の結果、「タグ付け追加」ボタン７２の入力操作を受け付けている場合（タグ付け追加）には、タグ付け処理部３２３は、次に、処理Ｓ７５を実行し、「削除」ボタン７３の入力操作を受け付けている場合（削除）には、タグ付け処理部３２３は、次に、処理Ｓ７６を実行し、「修正」ボタン７４の入力操作を受け付けている場合（修正）には、タグ付け処理部３２３は、次に、処理Ｓ７７を実行し、タグジャンプボタン５２３、５２５の入力操作を受け付けている場合（タグジャンプ）には、再生制御部３２４は、次に、処理Ｓ７８を実行し、「終了」ボタン５３の入力操作を受け付けている場合（終了）には、タグ付け処理部３２３は、次に、処理Ｓ７９を実行する。一方、前記判定の結果、これらいずれのボタン７２、７３、７４、５２３、５２５、５３の入力操作を受け付けていない場合（Ｎｏ）、タグ付け処理部３２３は、処理を処理Ｓ７４に戻す。
【０１６８】
処理Ｓ７５では、タグ付け処理部３２３は、タグを追加し、必要に応じて記入事項を追加する処理を実行し、次に、処理Ｓ８０を実行する。より具体的には、前記処理Ｓ７４で「タグ付け追加」ボタン７２の入力操作を受け付けると、レセプト作成支援装置ＲＳは、再生制御部３２４によって、再生動画表示領域５１で再生中の対象動画を一時停止し、再生／一時停止ボタン５２１を再生開始ボタンに換える。再生動画表示領域５１で対象動画の再生が一時停止されて表示されると、前記ユーザは、対象動画における一時停止された位置の動画に対応付ける記入事項の有無を判定し、必要に応じて、１または複数の記入事項を記入事項入力表示領域５８に入力する。そして、前記ユーザは、追加した前記タグ（経過時間）および必要に応じて入力された記入事項を確定するために、「確定」ボタン６０を入力操作する。「確定」ボタン６０の入力操作を受け付けると、レセプト作成支援装置ＲＳは、タグ付け処理部３２３によって、ＲＳ時計計時部３２５から、前記対象動画の先頭からの経過時間を前記タグとして求め、このタグとして求めた経過時間をタグ情報表示領域６１に新たに作成したレコードの経過時間フィールド６１１に登録して表示する。記入事項入力表示領域５８で記入事項が入力されている場合には、タグ付け処理部３２３は、記入事項入力表示領域５８に入力された記入事項も、前記新たに作成したレコードの記入事項フィールド６１２に登録して表示する。なお、タグ情報表ＴＧの各レコードは、経過時間フィールド６１１の経過時間で、経過時間順にソートされ、このソート後のタグ情報表ＴＧがタグ情報表示領域６１に表示されても良い。
【０１６９】
処理Ｓ７６では、タグ付け処理部３２３は、タグを削除する処理を実行し、次に、処理Ｓ８０を実行する。より具体的には、前記処理Ｓ７４で「削除」ボタン７３の入力操作を受け付けると、レセプト作成支援装置ＲＳは、再生制御部３２４によって、再生動画表示領域５１で再生中の対象動画を一時停止し、再生／一時停止ボタン５２１を再生開始ボタンに換える。再生動画表示領域５１で対象動画の再生が一時停止されて表示されると、前記ユーザは、タグ情報表示領域６１のタグ情報表ＴＧにおいて、削除するタグのレコードを指定する入力操作を実行する。なお、入力操作を受けたレコードは、例えば反転表示や点滅表示等の、入力操作を受けていないレコードと異なる表示態様で表示されて良い。そして、前記ユーザは、タグの削除を確定するために、「確定」ボタン６０を入力操作する。「確定」ボタン６０の入力操作を受け付けると、レセプト作成支援装置ＲＳは、タグ付け処理部３２３によって、前記指定されたレコードをタグ情報表ＴＧから削除し、残余のレコードから成るタグ情報表ＴＧをタグ情報表示領域６１に表示する。なお、タグ情報表ＴＧの残余の各レコードは、経過時間フィールド６１１の経過時間で、経過時間順にソートされ、このソート後のタグ情報表ＴＧがタグ情報表示領域６１に表示されても良い。
【０１７０】
処理Ｓ７７では、タグ付け処理部３２３は、タグに対応付けられた記入事項を修正する処理を実行し、次に、処理Ｓ８０を実行する。より具体的には、前記処理Ｓ７４で「修正」ボタン７３の入力操作を受け付けると、レセプト作成支援装置ＲＳは、再生制御部３２４によって、再生動画表示領域５１で再生中の対象動画を一時停止し、再生／一時停止ボタン５２１を再生開始ボタンに換える。再生動画表示領域５１で対象動画の再生が一時停止されて表示されると、前記ユーザは、タグ情報表示領域６１のタグ情報表ＴＧにおいて、修正する記入事項のレコードを指定する入力操作を実行する。なお、入力操作を受けたレコードは、例えば反転表示や点滅表示等の、入力操作を受けていないレコードと異なる表示態様で表示されて良い。そして、前記ユーザは、修正後の記入事項を記入事項入力表示領域５８に入力し、記入事項の修正を確定するために、「確定」ボタン６０を入力操作する。「確定」ボタン６０の入力操作を受け付けると、レセプト作成支援装置ＲＳは、タグ付け処理部３２３によって、前記指定されたレコードをタグ情報表ＴＧを、記入事項入力表示領域５８に入力された記入事項で修正し、修正後のタグ情報表ＴＧをタグ情報表示領域６１に表示する。
【０１７１】
処理Ｓ７８では、再生制御部３２４は、対象動画の再生をタグの付与された位置にジャンプして再生する処理を実行し、次に、処理Ｓ８０を実行する。より具体的には、前記処理Ｓ７４で次タグジャンプボタン５２３の入力操作を受け付けると、再生制御部３２４は、再生動画表示領域５１に表示される対象動画の再生を、現在における対象動画の再生位置に対し次に（時間的に後（将来）に）タグが付されている位置からの再生に切り換える。一方、前記処理Ｓ７４で前タグジャンプボタン５２５の入力操作を受け付けると、再生制御部３２４は、再生動画表示領域５１に表示される対象動画の再生を、現在における対象動画の再生位置に対し先に（時間的に前（過去）に）タグが付されている位置からの再生に切り換える。
【０１７２】
前記ユーザが次タグジャンプボタン５２３を入力操作することで、現在における対象動画の再生位置に対し次にタグが付されている位置からの再生に切り換えるので、前記ユーザは、タグが付された箇所の動画に、レセプトに記入すべき事象を含むか否かをチェックでき、前記ユーザが次タグジャンプボタン５２３を順次に次々と入力操作することで、各タグが付された各箇所の各動画に、レセプトに記入すべき各事象を含むか否かを順次に次々と速やかにチェックできる。前記ユーザが前タグジャンプボタン５２５を入力操作することでも同様に、前記ユーザは、タグごとにチェックでき、対象動画を巻戻ってチェックもできる。
【０１７３】
処理Ｓ８０では、レセプト作成支援装置ＲＳは、再生制御部３２４によって、再生動画表示領域５１で再生して表示していた対象動画が終了か否かを判定する。この判定の結果、対象動画が終了している場合（Ｙｅｓ）には、レセプト作成支援装置ＲＳは、タグ付け処理部３２３によって、処理を処理Ｓ７４に戻す。一方、前記判定の結果、対象動画が終了していない場合（Ｎｏ）には、レセプト作成支援装置ＲＳは、再生制御部３２４によって、次に、処理Ｓ８１を実行する。
【０１７４】
この処理Ｓ８１では、再生制御部３２４は、再生動画表示領域５１で対象動画を再生して表示し、処理を処理Ｓ７４に戻す。
【０１７５】
そして、処理Ｓ７９では、タグ付け処理部３２３は、タグチェック画面ＣＰでチェックされたタグに基づいてタグファイルを生成し、この生成したタグファイルをＲＳ記憶部３６のＲＳタグ情報記憶部３６２に記憶する。より具体的には、前記処理Ｓ７４で「終了」ボタン５３の入力操作を受け付けると、タグ付け処理部３２３は、タグ情報表示領域６１に表示されているタグ（経過時間）および記入事項に基づいてタグファイルを生成してＲＳタグ情報記憶部３６２に記憶する。より詳しくは、タグ付け処理部３２３は、再生動画表示領域５１に表示されている対象動画のファイルネームからタグファイルのファイルネームを生成し、タグ情報表示領域６１に表示されているタグ（経過時間）および記入事項を登録したタグ情報表ＴＧを備えて構成されるタグファイルを生成し、この生成したタグファイルを既存のタグファイルに上書きしてそのファイルネームと合わせてＲＳタグ情報記憶部３６２に記憶する。
【０１７６】
次に、レセプト作成支援装置ＲＳは、タグ付け処理部３２３によって、この生成したタグファイルを収容した通信信号（タグ情報通知通信信号）をサーバ装置ＳＶへ送信し（Ｓ８２）、本処理を終了する。より具体的には、タグ付け処理部３２３は、処理Ｓ７９で生成したタグファイルおよびそのファイルネームを収容するタグ情報通知通信信号をサーバ装置ＳＶ宛に生成し、この生成したタグ情報通知通信信号をＲＳ通信ＩＦ部３１でネットワークＮＷへ送信し、本処理を終了する。
【０１７７】
レセプト作成支援装置ＲＳは、このように動作することによって、既にタグが付与された対象動画およびそのタグファイルを検索し、タグチェック画面ＣＰで、この検索した対象動画を再生しながら、タグおよび記入事項をチェックし、必要に応じて、タグの追加、削除、記入事項の修正を実行し、チェック後のタグファイルを生成して記憶し、そして、この生成したタグファイルをサーバ装置ＳＶへ送信する。
【０１７８】
以上説明したように、医療介護関連情報作成支援システム、医療介護関連情報作成支援装置およびこれに実装される医療介護関連情報作成支援方法それぞれの一例としての、本実施形態におけるレセプト作成支援システムＭＳ、これに用いられるレセプト作成支援装置ＲＳおよびこれに実装されたレセプト作成支援方法は、ＲＳ通信ＩＦ部３１で取得した対象動画をＲＳ表示部３４によって再生するので、医療や看護や介護等のサービスの実施中あるいは前記サービスの終了後に、例えば知識を有する担当者等のユーザが再生中の対象動画を参照することで、再生中の対象動画に、レセプト等に記入すべき事象が含まれているか否かを適切に判定できる。レセプト等に記入すべき事象が含まれていると判定すると、上記レセプト作成支援システムＭＳ、上記レセプト作成支援装置ＲＳおよび上記レセプト作成支援方法は、ユーザがＲＳ入力部３３を入力操作することで、タグ付け処理部３２３によって、レセプト等に記入すべき事象が含まれている前記対象動画中の位置（タイミング（時点））を示すタグ（ラベル、目印）を表すタグ情報を前記再生中の対象動画に対応付けてＲＳタグ情報記憶部３６２に記憶できる。これによって、前記再生中の対象動画に、タグを付けることができる。したがって、レセプト等をチェックする際に、タグ情報に基づいて対象動画を部分的に再生することができ、短時間で適切にチェックできる。よって、上記レセプト作成支援システムＭＳ、上記レセプト作成支援装置ＲＳおよび上記レセプト作成支援方法は、レセプト等の作成を支援できる。
【０１７９】
上記レセプト作成支援システムＭＳ、上記レセプト作成支援装置ＲＳおよび上記レセプト作成支援方法は、対象動画の先頭からの経過時間でタグを前記対象動画に付与することができ、タグ情報をタグファイルで対象動画と別々に管理できる。
【０１８０】
上記レセプト作成支援システムＭＳ、上記レセプト作成支援装置ＲＳおよび上記レセプト作成支援方法は、レセプト等に記入すべき事象が含まれているか否かを判定する際に、ＲＳ入力部３３からレセプト等に記入すべき１または複数の事項（記入事項）も入力できる。そして、上記レセプト作成支援システムＭＳ、上記レセプト作成支援装置ＲＳおよび上記レセプト作成支援方法は、前記事項を前記タグファイルにさらに格納するので、前記タグファイルをレセプトの作成に用いるデータとして利用できる。よって、上記レセプト作成支援システムＭＳ、上記レセプト作成支援装置ＲＳおよび上記レセプト作成支援方法は、レセプト等の作成をより支援できる。
【０１８１】
上記レセプト作成支援システムＭＳ、上記レセプト作成支援装置ＲＳおよび上記レセプト作成支援方法は、再生制御部３２４によって、対象動画をタグ情報に基づいてＲＳ表示部３４で再生することで、例えば、前記タグを付したユーザ、あるいは、チェックを担当する別のユーザ等は、タグが付された箇所の動画に、レセプト等に記入すべき事象を含むか否かをチェック（確認）できる。
【０１８２】
上記レセプト作成支援システムＭＳは、サーバ装置ＳＶを備えるので、センサ装置ＳＵで生成した画像をサーバ装置ＳＶで一括に管理でき、センサ装置ＳＵに搭載される記憶装置の記憶容量を低減でき、上記レセプト作成支援装置ＲＳおよび上記レセプト作成支援方法は、必要なときに、センサ装置ＳＵで生成した画像をサーバ装置ＳＶから取得できる。
【０１８３】
上記レセプト作成支援システムＭＳは、サービス提供者（医師、看護師、介護士等）ＮＳが携帯端末装置ＴＡを持つことによって、サービス提供者ＮＳがセンサ装置ＳＵの近距離無線通信可能な範囲内に居る間だけ、自動的に動画を生成できる。したがって、上記レセプト作成支援システムＭＳは、対象画動画として不必要な動画部分を低減でき、センサ装置ＳＵに搭載される記憶装置の記憶容量を低減でき、上記レセプト作成支援装置ＲＳおよび上記レセプト作成支援方法で対象動画を再生する再生時間を短縮化できる。
【０１８４】
なお、上述の実施形態では、処理の対象である音声付きの対象動画を取得する前記動画取得部は、ネットワークを介して通信する通信インターフェース回路（通信カード）であり、レセプト作成支援装置ＲＳは、センサ装置ＳＵで生成した前記対象動画を、サーバ装置ＳＶから取得したが、これに限定されるものではなく、適宜に変更できる。例えば、前記動画取得部は、例えばＵＳＢ（Ｕｎｉｖｅｒｓａｌ  Ｓｅｒｉａｌ  Ｂｕｓ）インターフェース回路等の、外部の機器とデータを入出力するＩ／Ｏインターフェース回路であり、前記対象動画を保存する外部の機器から、あるいは、動画を生成する外部の機器から、さらにあるいは、前記対象動画を保存するメモリカード（ＵＳＢメモリ等）から、レセプト作成支援装置ＲＳは、前記対象動画を取得しても良い。また例えば、前記動画取得部は、例えばＣＤ−Ｒ（Ｃｏｍｐａｃｔ  Ｄｉｓｃ  Ｒｅｃｏｒｄａｂｌｅ）やＤＶＤ−Ｒ（Ｄｉｇｉｔａｌ  Ｖｅｒｓａｔｉｌｅ  Ｄｉｓｃ  Ｒｅｃｏｒｄａｂｌｅ）等の記録媒体からデータを読み込むドライブ装置であり、前記対象動画を記録する記録媒体から取得しても良い。
【０１８５】
また、上述の実施形態では、上記レセプト作成支援システムＭＳ、上記レセプト作成支援装置ＲＳおよび上記レセプト作成支援方法は、タグや記入事項をチェックする際に、次タグジャンプボタン５２３や前タグジャンプボタン５２５の、手動による入力操作によって、タグごとに対象動画の再生位置をジャンプしたが、上記レセプト作成支援システムＭＳ、上記レセプト作成支援装置ＲＳおよび上記レセプト作成支援方法は、自動的にタグごとに対象動画の再生位置をジャンプするように構成されても良い。このような場合では、再生制御部３２４は、前記対象動画を再生する場合に、ＲＳ記憶部３６のＲＳタグ情報記憶部３６２に記憶され、前記再生する対象動画に対応付けられたタグファイルに格納された経過時間から、予め設定された所定時間（例えば１分、３分、５分等）だけＲＳ表示部３４で前記対象動画を再生し、前記タグファイルが複数の経過時間を格納する場合には、前記複数の経過時間それぞれについて、順次に、当該経過時間から前記所定時間だけＲＳ表示部３４で前記対象動画を再生する。より詳しくは、再生制御部３２４は、前記対象動画を再生する場合に、ＲＳ記憶部３６のＲＳタグ情報記憶部３６２に記憶され、前記再生する対象動画に対応付けられたタグファイルに格納された経過時間から前記所定時間だけＲＳ表示部３４で前記対象動画を再生するとともに、前記タグファイルに格納され前記経過時間に対応付けられた１または複数の事項を前記ＲＳ表示部３４に表示し、前記タグファイルが複数の経過時間を格納する場合には、前記複数の経過時間それぞれについて、順次に、当該経過時間から前記所定時間だけ前記ＲＳ表示部３４で前記対象動画を再生するとともに、当該経過時間に対応付けられた１または複数の事項を前記ＲＳ表示部３４に表示する。これによれば、次タグジャンプボタン５２３や前タグジャンプボタン５２５の、手動による入力操作が必要なく、速やかにタグや記入事項の適否をチェックできる。
【０１８６】
また、上述の実施形態では、センサ装置ＳＵは、ペアリングされた携帯端末装置ＴＡと近距離無線通信が可能になると動画の生成を開始し、前記近距離無線通信可能であった携帯端末装置ＴＡとの近距離無線通信が不可能になると前記動画の生成を終了し、この生成した動画を記憶したが、センサ装置ＳＵは、動画を生成し、この生成中の動画に、ペアリングされた携帯端末装置ＴＡとの近距離無線通信の可否に応じてタグを付しても良い。このような場合では、センサ装置ＳＵは、所定のタイミング（例えば起動時や録画開始のボタン操作等）で動画の生成を開始して記憶し、この記憶した動画を所定の時刻でまたは所定の時間間隔でサーバ装置ＳＶへ送信する。そして、前記センサ装置ＳＵは、近距離無線通信規格で近距離無線通信し、ペアリングされた携帯端末装置ＴＡと近距離無線通信が可能になると前記生成している動画中の位置（タイミング（時点））を示す第２タグ（入室タグ）を表す第２タグ情報（入室タグ情報）を生成して記憶し、前記近距離無線通信可能であった携帯端末装置ＴＡとの近距離無線通信が不可能になると前記生成している動画中の位置（タイミング（時点））を示す第３タグ（退室タグ）を表す第３タグ情報（退室タグ情報）を生成して記憶し、前記記憶した動画をサーバ装置ＳＶへ送信する際に、前記第２および第３タグ情報の少なくともいずれかが記憶されている場合、前記記憶されている前記第２および第３タグ情報の少なくともいずれかも前記記憶した動画と合わせてサーバ装置ＳＶへ送信する。このようなレセプト作成支援システムＭＳは、サービス提供者ＮＳが携帯端末装置ＴＡを持つことによって、サービス提供者ＮＳがセンサ装置ＳＵの近距離無線通信可能な範囲内に居る間に対応する第２および第３タグ情報を、センサ装置ＳＵで生成した動画に対応付けて記憶できる。したがって、上記レセプト作成支援システムＭＳは、レセプト作成支援装置ＲＳが、前記第２および第３タグ情報に基づいて対象動画を再生することによって、レセプト作成支援装置ＲＳで対象動画を再生する再生時間を短縮化できる。
【０１８７】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１８８】
ＭＳ  レセプト作成支援システム
ＳＵ  センサ装置
ＳＶ  サーバ装置
ＲＳ  レセプト作成支援装置
ＴＡ  携帯端末装置
ＴＰ  タグ付け画面
ＣＰ  タグチェック画面
１１  動画生成部
１２  センサ側制御処理部（ＳＵ制御処理部）
１４  センサ側近距離無線通信インターフェース部（ＳＵ近距離無線ＩＦ部）
３１  レセプト側通信インターフェース部（ＲＳ通信ＩＦ部、動画取得部の一例）
３２  レセプト側制御処理部（ＲＳ制御処理部）
３３  レセプト側入力部（ＲＳ入力部）
３４  レセプト側表示部（ＲＳ表示部、再生部の一例）
３６  レセプト側記憶部（ＲＳ記憶部）
５１  再生動画表示領域
５２  再生制御指示入力領域
５３  「終了」ボタン
５４  対象動画ファイルネーム入力表示領域
５５  年月日入力表示領域
５６  サービス受益者名入力表示領域
５７  「取得」ボタン
５８  記入事項入力表示領域
５９  「タグ付け」ボタン
６０  「確定」ボタン
６１  タグ情報表示領域
７１  「検索」ボタン
７２  「タグ付け追加」ボタン
７３  「削除」ボタン
７４  「修正」ボタン
１２２  センサ側動画処理部（ＳＵ動画処理部）
１２３  センサ側端末探知部（ＳＵ端末探知部）
３２２  レセプト側動画処理部（ＲＳ動画処理部）
３２３  タグ付け処理部
３２４  再生制御部
３２５  レセプト側時計計時部（ＲＳ時計計時部）
【図１】
2018147105.tif 000003
【図２】
2018147105.tif 000004
【図３】
2018147105.tif 000005
【図４】
2018147105.tif 000006
【図５】
2018147105.tif 000007
【図６】
2018147105.tif 000008
【図７】
2018147105.tif 000009
【図８】
2018147105.tif 000010
【図９】
2018147105.tif 000011
【図１０】
2018147105.tif 000012
【図１１】
2018147105.tif 000013
【図１２】
2018147105.tif 000014